(57)【特許請求の範囲】
【請求項１】
制御チャネルを送信する方法であって：
システム構成及びユーザ構成に従って、拡張制御チャネルエレメント（Ｅ−ＣＣＥ）に含まれるリソースエレメント（ＲＥ）を決定するステップ；及び
拡張物理下りリンク制御チャネル（Ｅ−ＰＤＣＣＨ）をユーザ装置に送信するステップであって、前記Ｅ−ＰＤＣＣＨは、前記Ｅ−ＣＣＥにより伝送される、ステップ；
を備え、
システム構成及びユーザ構成に従って、Ｅ−ＣＣＥに含まれるＲＥを決定するステップは：
リソースセットに含まれるＲＥ及び前記リソースセットの中の所定のオーバーヘッドのＲＥに従って、前記Ｅ−ＣＣＥに含まれる前記ＲＥを決定するステップ；
を含み、
前記Ｅ−ＣＣＥは、第２種のＥ−ＣＣＥを含み、前記第２種の前記Ｅ−ＣＣＥに含まれるＲＥの数及び／又は位置は、準静的又は動的に変化し、
前記所定のオーバーヘッドは、パイロットオーバーヘッドを含み、さらに、Ｅ−ＰＤＣＣＨ及びＰＤＣＣＨ以外のチャネルのオーバーヘッドの少なくとも１つを含み、
前記パイロットオーバーヘッドは、チャネル状態情報−参照信号（ＣＳＩ−ＲＳ）、セル固有参照信号（ＣＲＳ）、復調参照信号（ＤＭＲＳ）、及びミュートＲＥの少なくとも１つを含み、かつ前記Ｅ−ＰＤＣＣＨ及びＰＤＣＣＨ以外のチャネルの前記オーバーヘッドは、ページングチャネル及び／又は同期チャネルを含む、方法。
【請求項２】
構成される制御チャネル領域において、前記第２種のＥ−ＣＣＥは、周波数領域において、検索開始点間の同じ間隔を有し、前記間隔は少なくとも１つのサブキャリアである、
請求項１に記載の方法。
【請求項３】
前記第２種のＥ−ＣＣＥの復調パイロット（ＤＭＲＳ）ポートインデックスは動的に変更可能である、
請求項１又は２に記載の方法。
【請求項４】
前記第２種のＥ−ＣＣＥは、集中型のリソースにマッピングされる、
請求項１から３のいずれか１項に記載の方法。
【請求項５】
リソースセットに含まれるＲＥ及び前記リソースセットの中の所定のオーバーヘッドのＲＥに従って、Ｅ−ＣＣＥに含まれるＲＥを決定するステップは：
前記リソースセットに含まれるＲＥの数及び前記リソースセットの中の所定のオーバーヘッドのＲＥの数に従って、前記リソースセットの中の利用可能なＲＥの数を取得するステップ；
前記リソースセットの中の利用可能なＲＥの数及び前記リソースセットの中の所定のオーバーヘッドのＲＥの数に従って、各Ｅ−ＣＣＥに対して利用可能なＲＥの数を取得するステップ；及び
各Ｅ−ＣＣＥに対して利用可能なＲＥの数に従って、各Ｅ−ＣＣＥに含まれるＲＥの数を決定するステップ；
を含む、請求項１から４のいずれか１項に記載の方法。
【請求項６】
各Ｅ−ＣＣＥに対して利用可能なＲＥの数に従って、各Ｅ−ＣＣＥに含まれるＲＥの数を決定するステップは：
各Ｅ−ＣＣＥに対して利用可能なＲＥの数が予め設定された第１の閾値よりも大きく、かつ予め設定された第２の閾値よりも小さい場合、各Ｅ−ＣＣＥに対して利用可能なＲＥの数を、各Ｅ−ＣＣＥに含まれるＲＥの数として決定するステップ；
各Ｅ−ＣＣＥに対して利用可能なＲＥの数が予め設定された第１の閾値よりも小さい場合、前記第１の閾値を、特定のリソースにおける各Ｅ−ＣＣＥに含まれるＲＥの数に設定するステップ；又は
各Ｅ−ＣＣＥに対して利用可能なＲＥの数が予め設定された第２の閾値よりも大きい場合、前記第２の閾値を、特定のリソースにおける各Ｅ−ＣＣＥに含まれるＲＥの数に設定するステップ；
を含む、請求項５に記載の方法。
【請求項７】
リソースセットに含まれるＲＥ及び前記リソースセットの中の所定のオーバーヘッドのＲＥに従って、Ｅ−ＣＣＥに含まれるＲＥを決定するステップは：
リソースサブセットを取得するために、前記リソースセットを、前記リソースセットの中の所定の数のＥ−ＣＣＥに従って分割するステップ；
各リソースサブセットに含まれるＲＥの数及び各リソースサブセットの中の所定のオーバーヘッドのＲＥの数に従って、各リソースセットの中の利用可能なＲＥの数を取得するステップ；及び
各リソースサブセットの中の利用可能なＲＥの数に従って、前記リソースセットの中の各Ｅ−ＣＣＥに含まれるＲＥの数を決定するステップ；
を含む、請求項１から４のいずれか１項に記載の方法。
【請求項８】
各リソースサブセットの中の利用可能なＲＥの数に従って、前記リソースセットの中の各Ｅ−ＣＣＥに含まれるＲＥの数を決定するステップは：
各リソースサブセットの中の利用可能なＲＥの数を、前記リソースセットの中の各Ｅ−ＣＣＥに含まれるＲＥの数として決定するステップ；
を含む、請求項７に記載の方法。
【請求項９】
システム構成及びユーザ構成に従って、Ｅ−ＣＣＥに含まれるＲＥを決定するステップは：
予め設定されたプリコーディングリソースブロックグループ（ＰＲＧ）、リソースブロックグループ（ＲＢＧ）、システム帯域幅、構成された制御チャネルの帯域幅、異なるアグリゲーションレベル、及び同じアグリゲーションレベルにおける異なるＥ−ＣＣＥの異なるパラメータの少なくとも１つに従って、前記Ｅ−ＣＣＥに含まれるＲＥの数を決定するステップ；
を含む、請求項１から８のいずれか１項に記載の方法。
【請求項１０】
システム構成及びユーザ構成に従って、Ｅ−ＣＣＥに含まれるＲＥを決定するステップは：
前記Ｅ−ＣＣＥに含まれるＲＥの数及び所定の規則に従って、前記Ｅ−ＣＣＥに含まれる前記ＲＥを決定するステップであって、前記Ｅ−ＣＣＥに含まれる前記ＲＥは、前記所定のオーバーヘッドの前記ＲＥを含まない、ステップ；
を含む、請求項５から９のいずれか１項に記載の方法。
【請求項１１】
前記Ｅ−ＣＣＥに含まれるＲＥの数及び所定の規則に従って、前記Ｅ−ＣＣＥに含まれる      前記ＲＥを決定するステップであって、前記Ｅ−ＣＣＥに含まれる前記ＲＥは、前記所定のオーバーヘッドの前記ＲＥを含まない、ステップは：
前記Ｅ−ＣＣＥの予め設定された開始点から、最初に周波数領域において、かつ次に時間領域において、又は最初に時間領域において、かつ次に周波数領域において、前記Ｅ−ＣＣＥに含まれる前記ＲＥをマッピングするステップであって、前記マッピングの際に、前記所定のオーバーヘッドにより占有されるＲＥが存在する場合、前記Ｅ−ＣＣＥは前記所定のオーバーヘッドにより占有されるＲＥの位置にはマッピングされず、かつ前記所定のオーバーヘッドにより占有される前記ＲＥは、前記Ｅ−ＣＣＥに含まれるＲＥの数から対応して減算される、マッピングするステップ；又は
前記所定のオーバーヘッドにより占有されるＲＥの位置をスキップし、かつ前記Ｅ−ＣＣＥに含まれるＲＥの数だけマッピングするステップ；又は
前記Ｅ−ＣＣＥの予め設定された開始点から前記Ｅ−ＣＣＥに含まれるＲＥの数だけマッピングするステップであって、前記所定のオーバーヘッドにより占有される前記ＲＥにマッピングされる制御チャネルは、前記所定のオーバーヘッドの送信のためにあけられる、ステップ；
を含む、請求項１０に記載の方法。
【請求項１２】
前記リソースセットは、物理リソースブロック（ＰＲＢ）、物理リソースブロック対、プリコーディングリソースブロックグループ（ＰＲＧ）、リソースブロックグループ（ＲＢＧ）、及び各種Ｅ−ＣＣＥリソースに分割されるセットの何れか１つである、
請求項１から１１のいずれか１項に記載の方法。
【請求項１３】
制御チャネルを受信する方法であって：
システム構成及びユーザ構成に従って、拡張制御チャネルエレメント（Ｅ−ＣＣＥ）に含まれるリソースエレメント（ＲＥ）を取得するステップ；及び
前記Ｅ−ＣＣＥに含まれる前記ＲＥにおいて、基地局から拡張物理下りリンク制御チャネル（Ｅ−ＰＤＣＣＨ）を受信するステップ；
を備え、
Ｅ−ＣＣＥに含まれるＲＥを取得するステップは：
リソースセットに含まれるＲＥ及び前記リソースセットの中の所定のオーバーヘッドのＲＥに従って、前記Ｅ−ＣＣＥに含まれる前記ＲＥを取得するステップ；
を含み、
前記Ｅ−ＣＣＥは、第２種のＥ−ＣＣＥを含み、前記第２種のＥ−ＣＣＥに含まれるＲＥの数及び／又は位置は、準静的又は動的に変化し、
前記所定のオーバーヘッドは、パイロットオーバーヘッドを含み、さらに、Ｅ−ＰＤＣＣＨ及びＰＤＣＣＨ以外のチャネルのオーバーヘッドの少なくとも１つを含み、
前記パイロットオーバーヘッドは、チャネル状態情報−参照信号（ＣＳＩ−ＲＳ）、セル固有参照信号（ＣＲＳ）、復調参照信号（ＤＭＲＳ）、及びミュートＲＥの少なくとも１つを含み、かつ前記Ｅ−ＰＤＣＣＨ及びＰＤＣＣＨ以外のチャネルの前記オーバーヘッドは、ページングチャネル及び／又は同期チャネルを含む、方法。
【請求項１４】
構成される制御チャネル領域において、前記第２種のＥ−ＣＣＥは、周波数領域において、検索開始点間の同じ間隔を有し、前記間隔は少なくとも１つのサブキャリアである、
請求項１３に記載の方法。
【請求項１５】
前記第２種のＥ−ＣＣＥを送信するための復調パイロット（ＤＭＲＳ）ポートインデックスは動的に変更可能である、
請求項１３又は１４に記載の方法。
【請求項１６】
前記第２種のＥ−ＣＣＥは、集中型のリソースにマッピングされる、
請求項１３から１５のいずれか１項に記載の方法。
【請求項１７】
リソースセットに含まれるＲＥ及び前記リソースセットの中の所定のオーバーヘッドのＲＥに従って、前記Ｅ−ＣＣＥに含まれる前記ＲＥを取得するステップは：
前記リソースセットに含まれるＲＥの数及び前記リソースセットの中の所定のオーバーヘッドのＲＥの数に従って、前記リソースセットの中の利用可能なＲＥの数を取得するステップ；
前記リソースセットの中の利用可能なＲＥの数及び前記リソースセットの中の所定のオーバーヘッドのＲＥの数に従って、各Ｅ−ＣＣＥに対して利用可能なＲＥの数を取得するステップ；及び
各Ｅ−ＣＣＥに対して利用可能なＲＥの数に従って、各Ｅ−ＣＣＥに含まれるＲＥの数を取得するステップ；
を含む、請求項１３から１６のいずれか１項に記載の方法。
【請求項１８】
各Ｅ−ＣＣＥに対して利用可能なＲＥの数に従って、各Ｅ−ＣＣＥに含まれるＲＥの数を決定するステップは：
各Ｅ−ＣＣＥに対して利用可能なＲＥの数が予め設定された第１の閾値よりも大きく、かつ予め設定された第２の閾値よりも小さい場合、各Ｅ−ＣＣＥに対して利用可能なＲＥの数を、各Ｅ−ＣＣＥに含まれるＲＥの数として決定するステップ；
各Ｅ−ＣＣＥに対して利用可能なＲＥの数が予め設定された第１の閾値よりも小さい場合、前記第１の閾値を、特定のリソースにおける各Ｅ−ＣＣＥに含まれるＲＥの数に設定するステップ；又は
各Ｅ−ＣＣＥに対して利用可能なＲＥの数が予め設定された第２の閾値よりも大きい場合、前記第２の閾値を、特定のリソースにおける各Ｅ−ＣＣＥに含まれるＲＥの数に設定するステップ；
を含む、請求項１７に記載の方法。
【請求項１９】
リソースセットに含まれるＲＥ及び前記リソースセットの中の所定のオーバーヘッドのＲＥに従って、前記Ｅ−ＣＣＥに含まれる前記ＲＥを取得するステップは：
リソースサブセットを取得するために、リソースセットを、前記リソースセットの中の所定の数のＥ−ＣＣＥに従って分割するステップ；
各リソースサブセットに含まれるＲＥの数及び各リソースサブセットの中の所定のオーバーヘッドのＲＥの数に従って、各リソースセットの中の利用可能なＲＥの数を取得するステップ；及び
各リソースサブセットの中の利用可能なＲＥの数に従って、前記リソースセットの中の各Ｅ−ＣＣＥに含まれるＲＥの数を取得するステップ；
を含む、請求項１３から１６のいずれか１項に記載の方法。
【請求項２０】
各リソースサブセットの中の利用可能なＲＥの数に従って、前記リソースセットの中の各Ｅ−ＣＣＥに含まれるＲＥの数を決定するステップは：
各リソースサブセットの中の利用可能なＲＥの数を、前記リソースセットの中の各Ｅ−ＣＣＥに含まれるＲＥの数として取得するステップ；
を含む、請求項１９に記載の方法。
【請求項２１】
Ｅ−ＣＣＥに含まれるＲＥを取得するステップは：
予め設定されたプリコーディングリソースブロックグループ（ＰＲＧ）、リソースブロックグループ（ＲＢＧ）、システム帯域幅、構成された制御チャネルの帯域幅、異なるアグリゲーションレベル、及び同じアグリゲーションレベルにおける異なるＥ−ＣＣＥの異なるパラメータの少なくとも１つに従って、前記Ｅ−ＣＣＥに含まれるＲＥの数を取得するステップ；
を含む、請求項１３から２０のいずれか１項に記載の方法。
【請求項２２】
Ｅ−ＣＣＥに含まれるＲＥを取得するステップは：
前記Ｅ−ＣＣＥに含まれるＲＥの数及び所定の規則に従って、前記Ｅ−ＣＣＥに含まれる前記ＲＥを取得するステップであって、前記Ｅ−ＣＣＥに含まれる前記ＲＥは、前記所定のオーバーヘッドの前記ＲＥを含まない、ステップ；
を含む、請求項１７から２１のいずれか１項に記載の方法。
【請求項２３】
前記Ｅ−ＣＣＥに含まれるＲＥの数及び所定の規則に従って、前記Ｅ−ＣＣＥに含まれる前記ＲＥを取得するステップは：
前記Ｅ−ＣＣＥの予め設定された開始点から、最初に周波数領域において、かつ次に時間領域において、又は最初に時間領域において、かつ次に周波数領域において、前記Ｅ−ＣＣＥに含まれる前記ＲＥに対するリソースデマッピングを実行するステップ；
前記リソースデマッピングの際に、前記所定のオーバーヘッドにより占有されるＲＥが存在する場合、前記所定のオーバーヘッドにより占有されるＲＥの位置をスキップし、かつリソースデマッピングを実行するステップであって、デマッピングされるシンボルの数は、前記所定のオーバーヘッドにより占有される前記ＲＥが対応して減算された後に前記Ｅ−ＣＣＥに含まれるＲＥの数である、ステップ；又は
前記リソースデマッピングの際に、前記所定のオーバーヘッドにより占有されるＲＥが存在する場合、前記所定のオーバーヘッドにより占有されるＲＥの位置をスキップするステップであって、デマッピングされるシンボルの数は、前記Ｅ−ＣＣＥに含まれるＲＥの数である、ステップ；
を含む、請求項２２に記載の方法。
【請求項２４】
前記リソースセットは、物理リソースブロック（ＰＲＢ）、物理リソースブロック対、プリコーディングリソースブロックグループ（ＰＲＧ）、リソースブロックグループ（ＲＢＧ）、及び各種Ｅ−ＣＣＥリソースに分割されるセットの何れか１つである、
請求項１３から２３のいずれか１項に記載の方法。
【請求項２５】
システム構成及び／又はユーザ構成に従って、拡張制御チャネルエレメント（Ｅ−ＣＣＥ）に含まれるリソースエレメント（ＲＥ）を決定するように構成される処理部；及び
拡張物理下りリンク制御チャネル（Ｅ−ＰＤＣＣＨ）をユーザ装置に送信するように構成される送信部であって、前記Ｅ−ＰＤＣＣＨは、前記Ｅ−ＣＣＥにより伝送される、送信部；
を備え、
前記処理部は：
リソースセットに含まれるＲＥ及び前記リソースセットの中の所定のオーバーヘッドのＲＥに従って、前記Ｅ−ＣＣＥに含まれる前記ＲＥを決定するように、
システム構成及び／又はユーザ構成に従って、Ｅ−ＣＣＥに含まれるＲＥを決定するように構成され、
前記Ｅ−ＣＣＥは、第２種のＥ−ＣＣＥを含み、前記第２種の前記Ｅ−ＣＣＥに含まれるＲＥの数又は位置は、第２の特定のリソースにおいて準静的又は動的に変化し、
前記所定のオーバーヘッドは、パイロットオーバーヘッドを含み、さらに、Ｅ−ＰＤＣＣＨ及びＰＤＣＣＨ以外のチャネルのオーバーヘッドの少なくとも１つを含み、
前記パイロットオーバーヘッドは、チャネル状態情報−参照信号（ＣＳＩ−ＲＳ）、セル固有参照信号（ＣＲＳ）、復調参照信号（ＤＭＲＳ）、及びミュートＲＥの少なくとも１つを含み、かつ前記Ｅ−ＰＤＣＣＨ及びＰＤＣＣＨ以外のチャネルの前記オーバーヘッドは、ページングチャネル及び／又は同期チャネルを含む、基地局。
【請求項２６】
構成される制御チャネル領域において、前記第２種のＥ−ＣＣＥは、周波数領域において、検索開始点間の同じ間隔を有し、前記間隔は少なくとも１つのサブキャリアである、
請求項２５に記載の基地局。
【請求項２７】
前記第２種のＥ−ＣＣＥを送信するための復調パイロット（ＤＭＲＳ）ポートインデックスは動的に変更可能である、
請求項２５又は２６に記載の基地局。
【請求項２８】
前記第２種のＥ−ＣＣＥは、集中型のリソースにマッピングされる、
請求項２５から２７のいずれか１項に記載の基地局。
【請求項２９】
前記処理部は：
前記リソースセットに含まれるＲＥの数及び前記リソースセットの中の所定のオーバーヘッドのＲＥの数に従って、前記リソースセットの中の利用可能なＲＥの数を取得し；前記リソースセットの中の利用可能なＲＥの数及び前記リソースセットの中の所定のオーバーヘッドのＲＥの数に従って、各Ｅ−ＣＣＥに対して利用可能なＲＥの数を取得し；かつ各Ｅ−ＣＣＥに対して利用可能なＲＥの数に従って、各Ｅ−ＣＣＥに含まれるＲＥの数を決定するように、
リソースセットに含まれるＲＥ及び前記リソースセットの中の所定のオーバーヘッドのＲＥに従って、前記Ｅ−ＣＣＥに含まれる前記ＲＥを決定する構成される、
請求項２５から２８のいずれか１項に記載の基地局。
【請求項３０】
前記処理部は：
各Ｅ−ＣＣＥに対して利用可能なＲＥの数が予め設定された第１の閾値よりも大きく、かつ予め設定された第２の閾値よりも小さい場合、各Ｅ−ＣＣＥに対して利用可能なＲＥの数を、各Ｅ−ＣＣＥに含まれるＲＥの数として決定するように；
各Ｅ−ＣＣＥに対して利用可能なＲＥの数が予め設定された第１の閾値よりも小さい場合、前記第１の閾値を、特定のリソースにおける各Ｅ−ＣＣＥに含まれるＲＥの数に設定するように；又は
各Ｅ−ＣＣＥに対して利用可能なＲＥの数が予め設定された第２の閾値よりも大きい場合、前記第２の閾値を、特定のリソースにおける各Ｅ−ＣＣＥに含まれるＲＥの数に設定するように；
各Ｅ−ＣＣＥに対して利用可能なＲＥの数に従って、各Ｅ−ＣＣＥに含まれるＲＥの数を決定するように構成される、請求項２９に記載の基地局。
【請求項３１】
前記処理部は：
リソースサブセットを取得するために、前記リソースセットの中の所定の数のＥ−ＣＣＥに従って、前記リソースセットを分割し；各リソースサブセットに含まれるＲＥの数及び各リソースサブセットの中の所定のオーバーヘッドのＲＥの数に従って、各リソースセットの中の利用可能なＲＥの数を取得し；かつ各リソースサブセットの中の利用可能なＲＥの数に従って、前記リソースセットの中の各Ｅ−ＣＣＥに含まれるＲＥの数を決定するように、
リソースセットに含まれるＲＥ及び前記リソースセットの中の所定のオーバーヘッドのＲＥに従って、前記Ｅ−ＣＣＥに含まれる前記ＲＥを決定するように構成される、
請求項２５から２８のいずれか１項に記載の基地局。
【請求項３２】
前記処理部は：
各リソースサブセットの中の利用可能なＲＥの数を、前記リソースセットの中の各Ｅ−ＣＣＥに含まれるＲＥの数として決定するように、
各リソースサブセットの中の利用可能なＲＥの数に従って、前記リソースセットの中の各Ｅ−ＣＣＥに含まれるＲＥの数を決定するように構成される、
請求項３１に記載野基地局。
【請求項３３】
前記処理部は：
予め設定されたプリコーディングリソースブロックグループ（ＰＲＧ）、リソースブロックグループ（ＲＢＧ）、システム帯域幅、構成された制御チャネルの帯域幅、異なるアグリゲーションレベル、及び同じアグリゲーションレベルにおける異なるＥ−ＣＣＥの異なるパラメータの少なくとも１つに従って、前記Ｅ−ＣＣＥに含まれるＲＥの数を決定するように、
各リソースサブセットの中の利用可能なＲＥの数に従って、前記リソースセットの中の各Ｅ−ＣＣＥに含まれるＲＥの数を決定するように構成される、
請求項２５から３２のいずれか１項に記載の基地局。
【請求項３４】
前記処理部は：
前記Ｅ−ＣＣＥに含まれるＲＥの数及び所定の規則に従って、前記Ｅ−ＣＣＥに含まれる前記ＲＥを決定し、前記Ｅ−ＣＣＥに含まれる前記ＲＥは、前記所定のオーバーヘッドの前記ＲＥを含まないように、
システム構成及び／又はユーザ構成に従って、Ｅ−ＣＣＥに含まれるＲＥを決定するように構成される、
請求項２５から３３のいずれか１項に記載の基地局。
【請求項３５】
前記処理部は、さらに：
前記Ｅ−ＣＣＥの予め設定された開始点から、最初に周波数領域において、かつ次に時間領域において、又は最初に時間領域において、かつ次に周波数領域において、前記Ｅ−ＣＣＥに含まれる前記ＲＥをマッピングし、前記マッピングの際に、前記所定のオーバーヘッドにより占有されるＲＥが存在する場合、前記Ｅ−ＣＣＥは前記所定のオーバーヘッドにより占有されるＲＥの位置にはマッピングされず、かつ前記所定のオーバーヘッドにより占有される前記ＲＥは、前記Ｅ−ＣＣＥに含まれるＲＥの数から対応して減算される；又は前記所定のオーバーヘッドにより占有されるＲＥの位置をスキップし、かつ前記Ｅ−ＣＣＥに含まれるＲＥの数だけマッピングする；又は前記Ｅ−ＣＣＥの予め設定された開始点から前記Ｅ−ＣＣＥに含まれるＲＥの数だけマッピングするように構成されるマッピングモジュールであって、前記所定のオーバーヘッドにより占有される前記ＲＥにマッピングされる制御チャネルは、前記所定のオーバーヘッドの送信のためにあけられるように構成される、
請求項３４に記載の基地局。
【請求項３６】
前記リソースセットは、物理リソースブロック（ＰＲＢ）、物理リソースブロック対、プリコーディングリソースブロックグループ（ＰＲＧ）、リソースブロックグループ（ＲＢＧ）、及び各種Ｅ−ＣＣＥリソースに分割されるセットのいずれか１つである、
請求項２９から３５のいずれか１項に記載の基地局。
【請求項３７】
システム構成及び／又はユーザ構成に従って、拡張制御チャネルエレメント（Ｅ−ＣＣＥ）に含まれるリソースエレメント（ＲＥ）を取得するように構成される処理部；及び
前記Ｅ−ＣＣＥに含まれる前記ＲＥにおいて、基地局から拡張物理下りリンク制御チャネル（Ｅ−ＰＤＣＣＨ）を受信するように構成される受信部；
を備え、
Ｅ−ＣＣＥに含まれるＲＥを取得することは：
リソースセットに含まれるＲＥ及び前記リソースセットの中の所定のオーバーヘッドのＲＥに従って、前記Ｅ−ＣＣＥに含まれる前記ＲＥを取得すること；
を含み、
前記Ｅ−ＣＣＥは、第２種のＥ−ＣＣＥを含み、前記第２種のＥ−ＣＣＥに含まれるＲＥの数又は位置は、第２の特定のリソースにおいて準静的又は動的に変化し、
前記所定のオーバーヘッドは、パイロットオーバーヘッドを含み、さらに、Ｅ−ＰＤＣＣＨ及びＰＤＣＣＨ以外のチャネルのオーバーヘッドの少なくとも１つを含み、
前記パイロットオーバーヘッドは、チャネル状態情報−参照信号（ＣＳＩ−ＲＳ）、セル固有参照信号（ＣＲＳ）、復調参照信号（ＤＭＲＳ）、及びミュートＲＥの少なくとも１つを含み、かつ前記Ｅ−ＰＤＣＣＨ及びＰＤＣＣＨ以外のチャネルの前記オーバーヘッドは、ページングチャネル及び／又は同期チャネルを含む、ユーザ装置。
【請求項３８】
構成される制御チャネル領域において、前記第２種のＥ−ＣＣＥは、周波数領域において、検索開始点間又は検索領域間の同じ間隔を有し、前記間隔は少なくとも１つのサブキャリアであるか、又は時間領域において、検索開始点間又は検索領域間の同じ間隔を有し、前記間隔は少なくとも１つの直交周波数分割多重（ＯＦＤＭ）シンボルである、
請求項３７に記載のユーザ装置。
【請求項３９】
前記第２種のＥ−ＣＣＥを送信するための復調パイロット（ＤＭＲＳ）ポートインデックスは動的に変更可能である、
請求項３７又は３８に記載のユーザ装置。
【請求項４０】
前記第２種のＥ−ＣＣＥは、集中型のリソースにマッピングされる、
請求項３７から３９のいずれか１項に記載のユーザ装置。
【請求項４１】
前記処理部は、さらに：
前記リソースセットに含まれるＲＥの数及び前記リソースセットの中の所定のオーバーヘッドのＲＥの数に従って、前記リソースセットの中の利用可能なＲＥの数を取得し；前記リソースセットの中の利用可能なＲＥの数及び前記リソースセットの中の所定のオーバーヘッドのＲＥの数に従って、各Ｅ−ＣＣＥに対して利用可能なＲＥの数を取得し；かつ各Ｅ−ＣＣＥに対して利用可能なＲＥの数に従って、各Ｅ−ＣＣＥに含まれるＲＥの数を取得するように、
リソースセットに含まれるＲＥ及び前記リソースセットの中の所定のオーバーヘッドのＲＥに従って、前記Ｅ−ＣＣＥに含まれる前記ＲＥを取得するように構成される、
請求項３７から４０のいずれか１項に記載のユーザ装置。
【請求項４２】
前記処理部は、さらに：
各Ｅ−ＣＣＥに対して利用可能なＲＥの数が予め設定された第１の閾値よりも大きく、かつ予め設定された第２の閾値よりも小さい場合、各Ｅ−ＣＣＥに対して利用可能なＲＥの数を、各Ｅ−ＣＣＥに含まれるＲＥの数として決定するように；
各Ｅ−ＣＣＥに対して利用可能なＲＥの数が予め設定された第１の閾値よりも小さい場合、前記第１の閾値を、特定のリソースにおける各Ｅ−ＣＣＥに含まれるＲＥの数に設定するように；又は
各Ｅ−ＣＣＥに対して利用可能なＲＥの数が予め設定された第２の閾値よりも大きい場合、前記第２の閾値を、特定のリソースにおける各Ｅ−ＣＣＥに含まれるＲＥの数に設定するように；
各Ｅ−ＣＣＥに対して利用可能なＲＥの数に従って、各Ｅ−ＣＣＥに含まれるＲＥの数を決定するように構成される、
請求項４１に記載のユーザ装置。
【請求項４３】
前記処理部は、さらに：
リソースサブセットを取得するために、前記リソースセットを、前記リソースセットの中の所定の数のＥ−ＣＣＥに従って分割し；各リソースサブセットに含まれるＲＥの数及び各リソースサブセットの中の所定のオーバーヘッドのＲＥの数に従って、各リソースセットの中の利用可能なＲＥの数を取得し；かつ前記各リソースサブセットの中の利用可能なＲＥの数に従って、前記リソースセットの中の各Ｅ−ＣＣＥに含まれるＲＥの数を取得するように、
リソースセットに含まれるＲＥ及び前記リソースセットの中の所定のオーバーヘッドのＲＥに従って、前記Ｅ−ＣＣＥに含まれる前記ＲＥを取得するように構成される、
請求項３７から４０のいずれか１項に記載のユーザ装置。
【請求項４４】
前記処理部は、さらに、各リソースサブセットの中の利用可能なＲＥの数を、前記リソースセットの中の各Ｅ−ＣＣＥに含まれるＲＥの数として取得するように、
各リソースサブセットの中の利用可能なＲＥの数に従って、前記リソースセットの中の各Ｅ−ＣＣＥに含まれるＲＥの数を決定するように構成される、
請求項４３に記載のユーザ装置。
【請求項４５】
前記処理部は、さらに：
予め設定されたプリコーディングリソースブロックグループ（ＰＲＧ）、リソースブロックグループ（ＲＢＧ）、システム帯域幅、構成された制御チャネルの帯域幅、異なるアグリゲーションレベル、及び同じアグリゲーションレベルにおける異なるＥ−ＣＣＥの異なるパラメータの少なくとも１つに従って、前記Ｅ−ＣＣＥに含まれるＲＥの数を取得するように、
Ｅ−ＣＣＥに含まれるＲＥを取得するように構成される、
請求項３７から４４のいずれか１項に記載のユーザ装置。
【請求項４６】
前記処理部は、さらに、前記Ｅ−ＣＣＥに含まれるＲＥの数及び所定の規則に従って、前記Ｅ−ＣＣＥに含まれる前記ＲＥを取得し、前記Ｅ−ＣＣＥに含まれる前記ＲＥは、前記所定のオーバーヘッドの前記ＲＥを含まないように、
Ｅ−ＣＣＥに含まれるＲＥを取得するように構成される、
請求項３７から４５のいずれか１項に記載のユーザ装置。
【請求項４７】
前記処理部は、さらに：
前記Ｅ−ＣＣＥの予め設定された開始点から、最初に周波数領域において、かつ次に時間領域において、又は最初に時間領域において、かつ次に周波数領域において、前記Ｅ−ＣＣＥに含まれる前記ＲＥに対するリソースデマッピングを実行するように構成され；
前記リソースデマッピングの際に、前記所定のオーバーヘッドにより占有されるＲＥが存在する場合、前記所定のオーバーヘッドにより占有されるＲＥの位置をスキップし、かつリソースデマッピングを実行し、デマッピングされるシンボルの数は、前記所定のオーバーヘッドにより占有される前記ＲＥが対応して減算された後に前記Ｅ−ＣＣＥに含まれるＲＥの数である；又は
前記リソースデマッピングの際に、前記所定のオーバーヘッドにより占有されるＲＥが存在する場合、前記所定のオーバーヘッドにより占有されるＲＥの位置をスキップし、デマッピングされるシンボルの数は、前記Ｅ−ＣＣＥに含まれるＲＥの数である、
請求項４６に記載のユーザ装置。
【請求項４８】
前記リソースセットは、物理リソースブロック（ＰＲＢ）、物理リソースブロック対、プリコーディングリソースブロックグループ（ＰＲＧ）、リソースブロックグループ（ＲＢＧ）、及び各種Ｅ−ＣＣＥリソースに分割されるセットのいずれか１つである、
請求項４１から４７のいずれか１項に記載のユーザ装置。
【請求項４９】
コンピュータに請求項１から２４のいずれか１項に記載の方法を実行させるプログラム。
【発明の詳細な説明】
【技術分野】
【０００１】
本発明は、通信分野に関連し、そして特に、制御チャネルの送受信方法、基地局、及びユーザ装置に関連する。
【背景技術】
【０００２】
ロングタームエボルーション（Ｌｏｎｇ  Ｔｅｒｍ  Ｅｖｏｌｕｔｉｏｎ、ＬＴＥと略す）のリリース８／９／１０の通信システムにおける下りリンクの伝送において、進化型基地局（ｅｖｏｌｖｅｄ  Ｎｏｄｅ  Ｂａｓｅ、ｅＮＢと略す）は、スケジューリングの結果に従って、スケジュールされた各ユーザ装置にＰＤＳＣＨ（Ｐｈｙｓｉｃａｌ  Ｄｏｗｎｌｉｎｋ  Ｓｈａｒｅｄ  Ｃｈａｎｎｅｌ、物理下りリンク共有チャネル）及び対応するＰＤＣＣＨ（Ｐｈｙｓｉｃａｌ  Ｄｏｗｎｌｉｎｋ  Ｃｏｎｔｒｏｌ  Ｃｈａｎｎｅｌ、物理下りリンク制御チャネル）を送信する。
【０００３】
ＰＤＣＣＨは、ユーザの上りリンク又は下りリンクのデータ伝送のためのスケジュール表示シグナリングを伝送するために用いられる。ここで、当該スケジュール表示シグナリングは、データチャネルのリソース割り当て、変調及び符号化方式等を含む。各ＰＤＣＣＨは、それぞれ異なる符号化率に対応する１／２／４／８個の制御チャネルエレメント（Ｃｏｎｔｒｏｌ  Ｃｈａｎｎｅｌ  Ｅｌｅｍｅｎｔ、ＣＣＥ）により構成されている。各ＣＣＥは、ＰＤＣＣＨ領域内の特定の時間−周波数ＲＥ（ｒｅｓｏｕｒｃｅ  ｅｌｅｍｅｎｔ、ＲＥ）のグループにマッピングされる。
【０００４】
ＬＴＥリリース１０システムのさらなる発展において、システムの性能を向上するために、ＭＵＭＩＭＯ（Ｍｕｌｔｉｐｌｅ  Ｕｓｅｒ  Ｍｕｌｔｉｐｌｅ  Ｉｎｐｕｔ  Ｍｕｌｔｉｐｌｅ  Ｏｕｔｐｕｔ、マルチユーザＭＩＭＯ）及び複数基地局協調をサポートする必要があり、そして同時にスケジュールされるユーザ装置の数は、これらの技術によって増加する。しかしながら、ＰＤＣＣＨの容量は限られており、これにより、基地局によってスケジュールできるユーザ装置の数は限定される。従って、従来技術において、ＰＤＣＣＨは拡張される。すなわち、拡張ＰＤＣＣＨ、Ｅ−ＰＤＣＣＨ（Ｅｘｔｅｎｄｅｄ−Ｐｈｙｓｉｃａｌ  Ｄｏｗｎｌｉｎｋ  Ｃｏｎｔｒｏｌ  Ｃｈａｎｎｅｌ）を伝送するために、本来のＰＤＳＣＨ（Ｐｈｙｓｉｃａｌ  Ｄｏｗｎｌｉｎｋ  Ｓｈａｒｅｄ  Ｃｈａｎｎｅｌ、物理下りリンク共有チャネル）の領域からの複数のリソースの一部が分割され、これにより、ＰＤＣＣＨの容量及び同時にスケジュールされるユーザ装置の数を増大する。
【発明の概要】
【発明が解決しようとする課題】
【０００５】
導入されたＥ−ＰＤＣＣＨは、送受信処理において連続的に変化するシステム構成及びユーザ構成の要件を満たす必要があるため、Ｅ−ＰＤＣＣＨを伝送するＥ−ＣＣＥ（Ｅｘｔｅｎｄｅｄ−Ｃｏｎｔｒｏｌ  Ｃｈａｎｎｅｌ  Ｅｌｅｍｅｎｔ、拡張された制御チャネルエレメント）は、半静的又は動的に変化を継続する必要がある。しかしながら、従来技術におけるＥ−ＣＣＥは、固定されており、そしてＥ−ＰＤＣＣＨの導入に起因する、利用可能な変化する伝送リソースの伝送の問題を解決することはできない。従って、従来技術は、低い伝送効率及びＥ−ＰＤＣＣＨに関連する伝送における高すぎる伝送複雑性という複数の問題を有する。
【課題を解決するための手段】
【０００６】
本発明の複数の実施例は、Ｅ−ＰＤＣＣＨの導入に起因する、利用可能な変化する伝送リソースの伝送の問題を解決し、伝送効率を向上し、かつ伝送の複雑性を低減することが可能な、制御チャネルを送信及び受信するための複数の方法、基地局、及びユーザ装置を提供する。
【０００７】
前述の目的を達成するため、本発明の複数の実施例は、以下の複数の技術的解決手段を採用する：
【０００８】
一態様において、制御チャネルを伝送するための方法が提供され、かつ制御チャネルを伝送するための方法は：システム構成及び／又はユーザ構成に従って、拡張制御チャネルエレメントＥ−ＣＣＥに含まれる複数のリソースエレメントＲＥを決定するステップ；及び拡張物理下りリンク制御チャネルＥ−ＰＤＣＣＨをユーザ装置に送信するステップであって、前記Ｅ−ＰＤＣＣＨは、前記Ｅ−ＣＣＥにより伝送される、ステップ；を含む。
【０００９】
一態様において、制御チャネルを受信するための方法が提供され、かつ制御チャネルを受信するための方法は：拡張制御チャネルエレメントＥ−ＣＣＥに含まれる複数のリソースエレメントＲＥを取得するステップであって、前記Ｅ−ＣＣＥに含まれる前記ＲＥは、システム構成及び／又はユーザ構成に従って決定される、ステップ；及び前記Ｅ−ＣＣＥに含まれる前記複数のＲＥにおいて、基地局により伝送される拡張物理下りリンク制御チャネルＥ−ＰＤＣＣＨを受信するステップ；を含む。
【００１０】
一態様において、基地局が提供され、かつ基地局は：システム構成及び／又はユーザ構成に従って、拡張された制御チャネルエレメントＥ−ＣＣＥに含まれる複数のリソースエレメントＲＥを決定するように構成される処理部；及びユーザ装置に拡張物理下りリンク制御チャネルＥ−ＰＤＣＣＨを送信するように構成される送信部であって、前記Ｅ−ＰＤＣＣＨは前記Ｅ−ＣＣＥにより伝送される、送信部；を備える。
【００１１】
他の態様において、ユーザ装置が提供され、かつユーザ装置は：拡張制御チャネルエレメントＥ−ＣＣＥに含まれる複数のリソースエレメントＲＥを取得するように構成される処理部であって、前記Ｅ−ＣＣＥに含まれる前記複数のＲＥは、システム構成及び／又はユーザ構成に従って決定される、処理部；及び前記Ｅ−ＣＣＥに含まれる前記複数のＲＥにおいて、基地局により送信される拡張物理下りリンク制御チャネルＥ−ＰＤＣＣＨを受信するように構成される受信部を備える。
【００１２】
本発明の複数の実施例により提供される、制御チャネルを送受信するための複数の方法、基地局、及びユーザ装置において、基地局は、システム構成及び／又はユーザ構成に従って、Ｅ−ＣＣＥに含まれる複数のＲＥを決定し、かつユーザ装置にＥ−ＰＤＣＣＨであって、前記Ｅ−ＣＣＥにより伝送される、Ｅ−ＰＤＣＣＨ、を送信し；かつユーザ装置は、基地局と同じ設定方法を用いて、前記Ｅ−ＣＣＥに含まれる前記複数のＲＥを取得し、かつ前記Ｅ−ＣＣＥに含まれる前記複数のＲＥにおいて前記Ｅ−ＰＤＣＣＨを受信する。前記Ｅ−ＣＣＥにより伝送される前記Ｅ−ＰＤＣＣＨにおける利用可能な変化する複数のリソースに対して、変化するＥ−ＣＣＥが、対応して、送信及び受信のために利用可能となるように、前記Ｅ−ＣＣＥは、固定的に設定され、かつ動的又は半静的に設定され、これにより、伝送効率を向上し、かつ伝送の複雑性を減少させる。
【図面の簡単な説明】
【００１３】
本出願の複数の実施例又は従来技術における複数の技術的解決手段をより明確に説明するために、以下において、複数の実施例又は従来技術を説明するために必要な、添付の複数の図面を簡単に紹介する。明らかに、以下の説明における添付の図面は、本発明のいくつかの実施例を示すのみであり、そして当業者は、創造的努力なしで、これらの添付図面から、他の図面を導き出すことがことができる。
【図１】本発明の実施例に従う、制御チャネルを送信するための方法の概略フローチャートである。
【図２】本発明の実施例に従う、制御チャネルを送信するためのマッピング方法の概略構成図である。
【図３】本発明の実施例に従う、制御チャネルの送信のための他のマッピング方法の概略構成図である。
【図４】本発明の実施例に従う、制御チャネルの送信のための、さらにもう一つのマッピング方法の概略構成図である。
【図５】本発明の実施例に従う、制御チャネルの送信のための、さらにもう一つのマッピング方法の概略構成図である。
【図６】本発明の実施例に従う、制御チャネルリソースを受信するための方法の概略フローチャートである。
【図７】本発明の実施例に従う基地局の概略構成図である。
【図８】本発明の実施例に従う、他の基地局の概略構成図である。
【図９】本発明の実施例に従うユーザ装置の概略構成図である。
【図１０】本発明の実施例に従う、他のユーザ装置の概略構成図である。
【発明を実施するための形態】
【００１４】
以下において、本発明の複数の実施例における添付の複数の図面を参照することにより、本発明の複数の実施例における複数の技術的解決手段を明確かつ完全に説明する。説明される複数の実施例は、本発明の複数の実施例の全てというよりは、むしろ複数の実施例の単なる一部であることは明らかである。本発明の複数の実施例に基づき、創造的努力なしで、当業者により取得される他の複数の実施例の全ては、本発明の保護範囲に属さなければならない。
【００１５】
本発明の実施例は、制御チャネルリソースを構成するための方法を提供する。図１に示されるように、方法は以下の複数のステップを含む：
【００１６】
Ｓ１０１．システム構成及び／又はユーザ構成に従って、基地局は、Ｅ−ＣＣＥに含まれる複数のＲＥを決定する。
【００１７】
さらに、基地局は、システム構成及び／又はユーザ構成に従って、Ｅ−ＣＣＥを決定する。これは、第１の特定のリソースにおける固定数のＲＥを含む第１種のＥ−ＣＣＥを決定すること；及び第２の特定のリソースにおける半静的又は動的に変化する数のＲＥを含む第２種のＥ−ＣＣＥを決定すること；を含む。
【００１８】
従来技術において、固定数のＲＥを含むＥ−ＣＣＥだけが用いられることに注意すべきである。しかしながら、Ｅ−ＰＤＣＣＨに加えるために、より多くのユーザをスケジュールする必要があり、ここで、当該Ｅ−ＰＤＣＣＨを伝送するＥ−ＣＣＥは、異なる複数のシステム構成又は複数のユーザ構成又は送信された第２の特定のリソースにおける実際の複数の伝送の条件により影響を受け、Ｅ−ＣＣＥに含まれるＲＥの数の変更という結果になる。しかしながら、既存のＥ−ＣＣＥは、固定数のＲＥを含むので、この変化に適応することができない。従って、本発明の１つ以上の実施例は、第１の特定のリソースにおける固定数のＲＥを含む第１種の既存のＥＣＣＥに加えて、第２の特定のリソースにおける動的に変化する数のＲＥを含む、第２種のＥ−ＣＣＥと示される、他の種類のＥ−ＣＣＥを提供し、そして、Ｅ−ＰＤＣＣＨの導入に起因する変化する複数のリソースについての伝送に関連する問題を解決するために、第２種のＥ−ＣＣＥに含まれる変化する数のＲＥを用いる。
【００１９】
典型的には、第１種のＥ−ＣＣＥ及び第２種のＥ−ＣＣＥにおいて、第１の特定のリソースにおいて、第１種のＥ−ＣＣＥに含まれる複数のＲＥは固定されている。例えば、ＣＳＩ−ＲＳ（Ｃｈａｎｎｅｌ  Ｓｔａｔｅ  Ｉｎｆｏｒｍａｔｉｏｎ  −  Ｒｅｆｅｒｅｎｃｅ  Ｓｉｇｎａｌ、ｃｈａｎｎｅｌ  ｓｔａｔｅ  ｉｎｄｉｃａｔｏｒ−ｐｉｌｏｔ  ｓｙｍｂｏｌ）の５ｍｓにおいて、固定され、かつ不変である。第２種のＥ−ＣＣＥに含まれる複数のＲＥは、異なる複数のシステム構成及び／又は複数のユーザ構成に従って、各送信される第２の特定のリソースブロックにおいて、動的に変化する場合がある。例えば、初めて送信されるサブフレームに含まれるＲＥの数は、２回目に送信されるサブフレームに含まれるＲＥの数とは異なる。初めて送信されるサブフレームにおいて、３つのＥ−ＣＣＥは、それぞれ、３５、３２、及び３３のＲＥを含み、一方で、２回目に送信されるサブフレームにおいて、３つのＥ−ＣＣＥは、それぞれ、３３、３１、及び３４のＲＥを含む。２回目に送信されるサブフレームにおいて、ＰＤＣＣＨに含まれるサブキャリアの数及びＯＦＤＭシンボルの数は、２回目に送信されるサブフレームにおけるそれらとは異なり、そして、ＣＳＩ−ＲＳ、ＤＭＲＳ、及びＣＲＳを含むパイロットの処理負荷及び他の複数のチャネルの処理負荷も異なる。結果として、第２種のＥ−ＣＣＥに含まれるＲＥの数は、動的に変化する。
【００２０】
さらに、第１種のＥ−ＣＣＥ及び第２種のＥ−ＣＣＥは、それぞれ、一定の規則に従って、時間及び周波数領域においてマッピングされ、そして、第１種のＥ−ＣＣＥ及び第２種のＥ−ＣＣＥは、それぞれ、それら自身の特徴を有する。例えば、第１種のＥ−ＣＣＥの復調パイロットＤＭＲＳのポートの位置は固定され、そして第２種のＥ−ＣＣＥの復調パイロットＤＭＲＳのポート位置は、システムの事前設定に従い、連続的に変化してもよい。例えば、第１種のＥ−ＣＣＥのＤＭＲＳポートは、ポート７及びポート８、又はポート７、ポート８、ポート９、及びポート１０であってもよい。第２種のＥ−ＣＣＥのＤＭＲＳポートは不定であってもよい。例えば、ポート７、ポート８、ポート９、及びポート１０の内のいずれかＮポートであってもよい。ここで、Ｎは、１以上の正の整数である。
【００２１】
Ｓ１０２．基地局は、拡張物理下りリンク制御チャネルＥ−ＰＤＣＣＨを送信する。ここで、Ｅ−ＰＤＣＣＨは、Ｅ−ＣＣＥにより伝送される。
【００２２】
さらに、特定のアプリケーションにおいて、第１種のＥ−ＣＣＥは、送信ダイバーシティモード又は開ループビームフォーミングモードにおいて送信され；かつ第２種のＥ−ＣＣＥは、開ループビームフォーミングモードにおいて送信される。第１種のＥ−ＣＣＥが送信ダイバーシティモードにおいて送信される場合、周波数領域は、４Ｍのサブキャリアを含んでもよい。ここで、Ｍは、１以上の正の整数である。
【００２３】
本発明の複数の実施例により提供される、制御チャネルを送受信するための複数の方法、基地局及びユーザ装置において、基地局は、システム構成及び／又はユーザ構成に従って、Ｅ−ＣＣＥに含まれる複数のＲＥを決定し、Ｅ−ＰＤＣＣＨをユーザ装置に送信する。ここで、Ｅ−ＰＤＣＣＨは、Ｅ−ＣＣＥにより伝送される。そして、ユーザ装置は、基地局と同じ設定方法を用いることにより、Ｅ−ＣＣＥに含まれる複数のＲＥを取得し、そしてＥ−ＣＣＥに含まれる複数のＲＥにおいて、Ｅ−ＰＤＣＣＨを受信する。ＥＣＣＥにより伝送されるＥ−ＰＤＣＣＨにおける利用可能な変化する複数のリソースに対して、変化するＥ−ＣＣＥを、それに対応して、送受信のために利用できるようにするために、Ｅ−ＣＣＥは、固定的に設定され、そして動的又は半静的に設定される。これにより、伝送効率を向上し、そして送信の複雑さを低減する。
【００２４】
さらに、基地局は、リソースセットに含まれるＲＥの数及び他のオーバヘッドに含まれるＲＥの数に従って、計算を実行し、そして第１種のＥ−ＣＣＥの中の利用可能なＲＥの数を取得するために、計算結果を四捨五入する。ここで、利用可能なＲＥの数は、Ｚとして示される。そして、Ｚが予め設定された第１の閾値よりも大きく、かつ予め設定された第２の閾値よりも小さい場合、基地局は、Ｚを、第１の特定のリソースにおける第１種のＥ−ＣＣＥそれぞれに含まれるＲＥの数に設定する。或いは、Ｚが予め設定された第１の閾値よりも小さい場合、基地局は、当該第１の閾値を、第１の特定のリソースにおける第１種のＥ−ＣＣＥそれぞれに含まれるＲＥの数に設定する。或いは、Ｚが予め設定された第２の閾値よりも大きい場合、基地局は、当該第２の閾値を、第１の特定のリソースにおける第１種のＥ−ＣＣＥそれぞれに含まれるＲＥの数に設定する。
【００２５】
典型的には、基地局は、当該リソースセットに含まれるＲＥの数に従って、例えば、ＰＲＢ（Ｐｈｙｓｉｃａｌ  Ｒｅｓｏｕｒｃｅｓ  Ｂｌｏｃｋ、物理リソースブロック）に含まれるＲＥの数、又はＰＲＢ対（Ｐｈｙｓｉｃａｌ  Ｒｅｓｏｕｒｃｅ  Ｂｌｏｃｋ  ｐａｉｒ、物理リソースブロック対）に含まれるＲＥの数、又はＰＲＧ（Ｐｒｅｃｏｄｉｎｇ  Ｒｅｓｏｕｒｃｅ  Ｇｒｏｕｐ、プリコーディングリソースブロックグループ）に含まれるＲＥの数、又はＲＢＧ（Ｒｅｓｏｕｒｃｅ  Ｂｌｏｃｋ  Ｇｒｏｕｐ、リソースブロックグループ）に含まれるＲＥの数、又は基地局により各種Ｅ−ＣＣＥリソースに分割されるリソースセット（例えば、ＰＲＢの半分）に含まれるＲＥの数、に従って、リソースセットの中の第１種のＥ−ＣＣＥを伝送するためのＲＥの総数をＺとして記録し；そして基地局は、複数のオーバーヘッドを事前に判定する。例えば、ＰＤＣＣＨがＭ個のＲＥを含み、ＤＭＲＳオーバーヘッドがＮ個のＲＥを含み、かつ固定的に設定されるリソースが第１の特定のリソースにおいて、Ｙ個の第１種のＥ−ＣＣＥを有する場合、第１種のＥ−ＣＣＥそれぞれに含まれるＲＥの数は、Ｚ＝ｆｌｏｏｒ（（Ｘ−Ｍ−Ｎ）／Ｙ）となる。つまり、Ｚは整数に四捨五入されるか、又はＺ＝ｍａｘ（ｆｌｏｏｒ（（Ｘ−Ｍ−Ｎ）／Ｙ）、Ａ）である。ここで、Ａは、第１種のＥ−ＣＣＥに含まれる算出されたＲＥの数が小さすぎる場合を防止することにより、復調の効果を達成する目的に対して設定される最小の閾値である。ここで、最小の閾値は、第１の閾値Ａとして記録され、そしてその値は、定数であってもよく、そしてまた、実際の条件に従って変更されてもよい。或いは、同様にＺ＝ｍｉｎ（ｆｌｏｏｒ（（Ｘ−Ｍ−Ｎ）／Ｙ、Ｂ）であり、ここで、Ｂは、第１種のＥ−ＣＣＥに含まれる複数のＲＥが、伝送のために必要な複数のリソースよりも多すぎるという場合を防止することにより、無駄を回避する目的で設定される、事前に設定される第２の閾値Ｂである。ここで、Ｂは、定数であってもよく、或いはまた、変数であってもよい。
【００２６】
所定の複数のオーバーヘッドは、パイロットオーバーヘッド及び他の複数のチャネルの複数のオーバーヘッドを含むことに注意すべきである。例えば、パイロットオーバーヘッドは、ＣＳＩ−ＲＳ又はＣＲＳ又はＤＭＲＳ、又は隣接セルのＣＳＩ−ＲＳ送信位置への干渉を避けるため、いかなる信号も伝送しない弱められたＲＥであり；他の複数のチャネルの複数のオーバーヘッドは、ＰＤＣＣＨチャネルオーバーヘッド、ページングチャネルオーバーヘッド、同期チャネルオーバーヘッドのうちの１つ以上である。第１の特定のリソースにおけるパイロットオーバーヘッドは、上記の１つ以上のパイロットオーバヘッドであり得る。第１の特定のリソースにおけるパイロットオーバーヘッドは、第２の特定のリソースにおけるパイロットオーバーヘッドとは異なる場合があることに注意すべきである。
【００２７】
或いは、典型的には、第１種の各Ｅ−ＣＣＥに含まれるＲＥの数は、第１種のＥ−ＣＣＥ全てに含まれるＲＥの総数、及びリソースセットの中の所定の複数のオーバーヘッドに含まれるＲＥの数、及びリソースセットの中の第１種のＥ−ＣＣＥの数に従って算出され、そしてＸとして記録される。Ｘは、第１の特定のリソースにおける第１種のＥ−ＣＣＥそれぞれに含まれるＲＥの数に設定される。リソースセットは、ＰＲＢの中の第１種のＥ−ＣＣＥ全てに含まれる全てのＲＥであってもよく、そしてＬとして記録される。しかしながら、上記の例において、リソースセットは、ＰＲＢの中に含まれるＲＥの数には限定されない。ＰＲＢは、何の情報も伝送しない複数のＲＥを有するので、第１種のＥ−ＣＣＥ全てを伝送する複数のＲＥだけが、計算に使用され、これにより計算結果をより正確にすることができる。また、計算方法は、上記の例において説明した方法であってもよく、ここで、Ｘ＝ｆｌｏｏｒ（（Ｌ−Ｍ−Ｎ）／Ｙ）、又はＸ＝ｍａｘ（ｆｌｏｏｒ（（Ｌ−Ｍ−Ｎ）／Ｙ）、Ａ）、又はＺ＝ｍｉｎ（ｆｌｏｏｒ（（Ｘ−Ｍ−Ｎ）／Ｙ）、Ｂ）である。使用ルールは、上記の例に記載されており、本明細書においては、追加の説明は行わない。
【００２８】
さらに、基地局は、第１の特定のリソースにおける第１種のＥ−ＣＣＥそれぞれに含まれるＲＥの数を事前に設定してもよく、ここで、当該ＲＥの数はＫとして記録され、そして、Ｋを、第１の特定のリソースにおける第１種のＥ−ＣＣＥそれぞれに含まれるＲＥの数に設定する。従って、計算は不要であり、そして動作ステップを簡略化することができる。
【００２９】
或いは、典型的には、基地局は、複数のリソースサブセットを取得するために、第１種のＥ−ＣＣＥの数に従って、リソースセットを分割する。例えば、ＰＲＢが第１種のＥ−ＣＣＥを３つ有する場合、基地局は、第１種のＥ−ＣＣＥそれぞれに含まれる全てのＲＥをリソースサブセットとみなし、所定の複数のオーバーヘッドが各リソースサブセットから減算された後に取得される、利用可能な複数のＲＥの数に従って、特定の関数を用いることにより、一意の値を取得し、かつ当該一意の値を第１の特定のリソースにおける第１種のＥ−ＣＣＥそれぞれに含まれるＲＥの数に設定する。例えば、特定の関数は、複数のリソースサブセットの中の第１種の複数のＥ−ＣＣＥに含まれるＲＥの数の最小値を取得するための計算に用いられ、そして当該最小値は、第１種のＥ−ＣＣＥそれぞれに含まれるＲＥの数に設定される。
【００３０】
さらに、基地局は、第１種のＥ−ＣＣＥそれぞれに含まれるＲＥの数を、サブキャリアにおける第１種のＥ−ＣＣＥそれぞれの固定位置及び直交周波数分割多重ＯＦＤＭシンボルを含む固定位置に従って設定し、そして各Ｅ−ＣＣＥのサブキャリアの位置及びＯＦＤＭシンボルの位置を固定する；各Ｅ−ＣＣＥにより占有されるサブキャリアの数及びＯＦＤＭシンボルの数は固定されている。第１種の第１のＥ−ＣＣＥは、ＯＦＤＭシンボル＃０からＯＦＤＭシンボル＃１３を含む、サブキャリア＃０からサブキャリア＃２を含み；第１種の第２のＥ−ＣＣＥは、ＯＦＤＭシンボル＃０からＯＦＤＭシンボル＃１３を含む、サブキャリア＃３からサブキャリア＃５を含む、といったことが仮定される。今、第１種の４つのＥ−ＣＣＥが存在し、かつ他の複数のチャネルの複数のＲＳ（Ｒｅｆｅｒｅｎｃｅ  Ｓｉｇｎａｌ、パイロット信号）オーバーヘッドが減算された後の、第１種の第１のＥ−ＣＣＥに関して利用可能なＲＥの数がＸ１であり、他の複数のチャネルの複数のＲＳオーバーヘッドが減算された後の第１種の第２のＥ−ＣＣＥに関して利用可能なＲＥの数がＸ２であり、第１種の第３のＥ−ＣＣＥに関して利用可能なＲＥの数がＸ３であり、かつ第１種の第４のＥ−ＣＣＥに関して利用可能なＲＥの数がＸ４である場合、第１種のＥ−ＣＣＥそれぞれに含まれるＲＥの数は、固定的にＹ＝ｆ（Ｘ１、Ｘ２、Ｘ３、Ｘ４）であり；第１種のＥＣＣＥそれぞれに含まれるＲＥの数は、適切な値に設定され、かつ第１のリソースにおける第１種のＥ−ＣＣＥそれぞれにより占有されるＲＥの数は、固定値に従って設定される。
【００３１】
或いは、典型的には、基地局は、また、複数のリソースサブセットを取得するために、第１種のＥＣＣＥの数に従って、リソースセットを分割してもよく、そして、各リソースサブセットから所定の複数のオーバーヘッドが減算された後、利用可能なＲＥの数を、第１の特定のリソースにおける第１種のＥ−ＣＣＥそれぞれに含まれるＲＥの数に設定してもよい。ＰＲＢが３つのＥ−ＣＣＥを含み、かつ第１種のＥ−ＣＣＥがそれぞれ、リソースサブセットとして使用される場合、基地局は、所定の複数のオーバーヘッドを減算することにより、第１種のＥ−ＣＣＥそれぞれに含まれるＲＥの数を計算し、そしてその後、各Ｅ−ＣＣＥに含まれるＲＥの数を第１種のＥ−ＣＣＥに含まれるＲＥの数に設定し、そして一様な値は使用しない。これにより、全てのＥ−ＣＣＥは同じ数のＲＥを含むことになり、従って、精度が高い。第１種の各Ｅ−ＣＣＥにより占有されるＲＥの位置が固定されていると仮定して、基地局は、第１種の同じＥ−ＣＣＥに含まれるＲＥの位置の総数から所定の複数のオーバーヘッドを減算した後に取得されるＲＥの数に従って、第１種のＥ−ＣＣＥに含まれるＲＥの数を設定する。例えば、第１種の第１のＥ−ＣＣＥの固定位置は、（ｋ１、Ｍ１）であり、ここで、ｋ１はサブキャリアの数であり、かつＭ１はＯＦＤＭシンボルの数であり、そして第１種の第２のＥ−ＣＣＥの固定位置は、（ｋ２、Ｍ２）であり、ここで、ｋ２はサブキャリアの数であり、かつＭ２はＯＦＤＭシンボルの数である、といったように。さらに、第１種のＥ−ＣＣＥが４つ存在すると仮定して、基地局は、第１の特定のリソースにおける第１種の第１のＥ−ＣＣＥに含まれるＲＥの数を取得するために、第１種の第１のＥ−ＣＣＥの固定された複数の位置に含まれる全てのＲＥを加算する等、第１種の４つのＥ−ＣＣＥそれぞれに含まれるＲＥの数を取得し、そして、それに対応する設定を行う。これにより、第１種のＥ−ＣＣＥそれぞれに含まれるＲＥの数は異なることになる。
【００３２】
或いは、典型的には、基地局はさらに、事前に設定されるＰＲＧ、又はＲＢＧ、又はシステム帯域幅、又は構成される制御チャネルの帯域幅、又は異なるアグリゲーションレベル、又は同じアグリゲーションレベルにおける異なる複数のＥ−ＣＣＥの異なる複数のパラメータに従って、第１の特定のリソースにおける第１種のＥ−ＣＣＥに含まれるＲＥの数を、表１、２、３、４、及び５に示されるように、対応して設定してもよく、そして第１の特定のリソースにおける第１種のＥ−ＣＣＥに含まれるＲＥの数を、対応して取得してもよく、そしてＲＥの数を、第１の特定のリソースにおける第１種のＥ−ＣＣＥそれぞれに含まれるＲＥの数に設定してもよい。
【表１】
0006055844.tif 000002
【表２】
0006055844.tif 000003
【表３】
0006055844.tif 000004
【表４】
0006055844.tif 000005
【表５】
0006055844.tif 000006
【００３３】
上記の複数の方法は、基地局が、第１の特定のリソースにおける第１種のＥ−ＣＣＥのＲＥの数をどのように設定するかについてのいくつかの例である；以下の複数の方法は、第２の特定のリソースにおける第２種のＥ−ＣＣＥのＲＥの数の設定についてのいくつかの例である。第１の特定のリソースにおける第１種のＥ−ＣＣＥのＲＥの数を設定する上記複数の方法のうちのいずれか１つは、第２の特定のリソースにおける第２種のＥ−ＣＣＥのＲＥの数を設定する以下の複数の方法のうちのいずれか１つと共に使用され、これについては何ら限定されるものではないということに注意すべきである。
【００３４】
典型的には、基地局は、現在のリソースセットに含まれるＲＥの数及び他の複数のオーバーヘッドに含まれるＲＥの数に従って、計算を実行し、そしてその後、Ｅ−ＣＣＥに含まれる利用可能なＲＥの数を取得するために、計算結果を四捨五入する。ここで、利用可能なＲＥの数は、Ｚ’と記録される。Ｚ’が予め設定された第１の閾値よりも大きく、かつ予め設定された第２の閾値よりも小さい場合、基地局は、Ｚ’を、第２の特定のリソースにおける第２種の各Ｅ−ＣＣＥにより現在占有されているＲＥの数に設定する；或いは、Ｚ’が予め設定された閾値Ｃよりも小さい場合、基地局は、Ｃを、第２のリソースにおける第２種の各Ｅ−ＣＣＥにより現在占有されているＲＥの数に設定する；或いは、Ｚ’が予め設定された第２の閾値Ｄよりも大きい場合、基地局は、Ｄを、第２の特定のリソースにおける第２種の各Ｅ−ＣＣＥにより現在占有されているＲＥの数に設定する。
【００３５】
基地局により毎回送信されるリソースセットは、システム構成及び／又は実際の伝送条件に従って異なるので、基地局は、現在のリソースセットにおける第２種のＥ−ＣＣＥを伝送するためのＲＥの総数Ｌから各種パイロットＲＳに含まれるＲＥの数を減算するということに注意すべきである。例えば、ＣＳＩ−ＲＳがＳ個のＲＥを含み、ＤＭＲＳがＮ個のＲＥを含み、ＰＤＣＣＨの複数のオーバーヘッド及びその他の複数のチャネルがＭ個のＲＥを含む場合、第２種のＥ−ＣＣＥそれぞれに含まれるＲＥの数は、Ｚ’＝ｆｌｏｏｒ（（Ｌ−Ｍ−Ｎ−Ｓ）／Ｙ）、又はＺ’＝ｍａｘ（ｆｌｏｏｒ（（Ｌ−Ｍ−Ｎ−Ｓ）／Ｙ）、Ｃ）、又はＺ’＝ｍｉｎ（ｆｌｏｏｒ（（Ｌ−Ｍ−Ｎ−Ｓ）／Ｙ）、Ｄ）を計算することによって取得される。Ｃ及びＤを設定する原理は、第１種のＥ−ＣＣＥにおけるＡ及びＢの設定のそれと同じであり、そして本明細書においては追加の説明は行われない。
【００３６】
特定のリソースにおける第２種のＥ−ＣＣＥのＲＥの数をより正確に取得するために、基地局は、制御チャネルの中の第２種のＥ−ＣＣＥの検索位置において伝送するためのＲＥの総数Ｘに従って、上記の計算をさらに実行してもよいということに注意すべきである。例えば、第２種のＥ−ＣＣＥの検索領域は、ＲＢＧの中間位置にあり、ここで伝送のためのＲＥの総数はＬである。例えば、制御チャネル内の第２種のＥ−ＣＣＥの検索位置空間は、ＲＢＧの中間位置にあり、ここで、各Ｅ−ＣＣＥに含まれるＲＥの数は、伝送のための複数のＲＥの総数Ｌ、所定の複数のオーバーヘッドに含まれる複数のＲＥの数、及びリソースセットの中の複数のＥ−ＣＣＥの数Ｙ、に従って算出され、かつＸ’として記録され、そしてＸ’は、第２の特定のリソースにおける第２種のＥ−ＣＣＥそれぞれに含まれるＲＥの数に設定される。また、計算方法は、上記の例における方法であってもよいということに注意すべきである。ここで、Ｘ’＝ｆｌｏｏｒ（（Ｌ−Ｍ−Ｎ）／Ｙ）又はＸ’＝ｍａｘ（ｆｌｏｏｒ（（Ｌ−Ｍ−Ｎ）／Ｙ、Ａ）又はＸ’＝ｍｉｎ（ｆｌｏｏｒ（Ｌ−Ｍ−Ｎ）／Ｙ）、Ｂ）である。使用規則は、上記の例において説明され、そして本明細書においては、追加の説明は行われない。
【００３７】
所定の複数のオーバーヘッドについては、上記の内容において詳細に説明され、そして本明細書においては追加の説明は行われないということに注意すべきである。しかしながら、第２種のＥ−ＣＣＥのパイロットオーバーヘッドは、第１種のＥ−ＣＣＥのそれとは異なってもよく、そしていかなる意味においても第１種のＥ−ＣＣＥにより限定されるものではない。
【００３８】
或いは、典型的には、第２の特定のリソースにおける第２種のＥ−ＣＣＥそれぞれに現在含まれるＲＥの予め設定された番号であって、Ｙ’と記録される、番号、に従って、基地局は、Ｙ’を、第２の特定のリソースにおける第２種のＥ−ＣＣＥそれぞれに現在含まれるＲＥの数に設定し、そして追加の計算は必要ではない。
【００３９】
或いは、典型的には、基地局は、複数のリソースサブセットを取得するために、第２種のＥ−ＣＣＥの現在の数に従って、リソースセットを分割し、所定の複数のオーバーヘッドが各リソースサブセットから減算された後に取得される利用可能なＲＥの数に従って、現在の特定の関数を使用することにより、一意の値を取得し、そして、一意の値を、第２の特定のリソースにおける第２種のＥ−ＣＣＥそれぞれに現在含まれるＲＥの数に設定する。
【００４０】
現在の第２の特定のリソースにおける第２種のＥ−ＣＣＥそれぞれの位置は、サブキャリアにおいて固定され、かつ直交周波数多重分割ＯＦＤＭシンボルを含む位置は毎回一定であり；現在のサブフレームは、第２種のＥ−ＣＣＥを４つ有し；第２種の第１のＥ−ＣＣＥは、ＯＦＤＭシンボル＃５からＯＦＤＭシンボル＃９までを含む、サブキャリア＃４からサブキャリア＃７を含み；第２種の第２のＥ−ＣＣＥは、ＯＦＤＭシンボル＃５からＯＦＤＭシンボル＃９までを含む、サブキャリア＃３からサブキャリア＃７を含む、などといったことを仮定する。今、第２種のＥ−ＣＣＥが４つ存在し、現在のチャネル状態の下でのＲＳのオーバーヘッド、特にＣＳＩ−ＲＳのオーバーヘッド及び他の複数のチャネルの複数のオーバーヘッドが減算された後の、第２種の第１のＥ−ＣＣＥに対して利用可能なＲＥの数が、Ｙ１’である場合、計算中にＣＳＩ−ＲＳのオーバーヘッドを減算することは必要ではなく；第１種の第３のＥ−ＣＣＥに対する利用可能なＲＥの数がＹ３’であり、かつ第２種の第４のＥ−ＣＣＥに対して利用可能なＲＥの数がＹ４’である場合、第２種のＥ−ＣＣＥそれぞれに含まれるＲＥの数は、固定的にＺ’＝ｆ（Ｙ１’、Ｙ２’、Ｙ３’、Ｙ４’）である。
【００４１】
好適には、基地局は、第２種の複数のＥ−ＣＣＥにおいて伝送するための利用可能なＲＥの数の最小値を、第２の特定のリソースにおける第２種のＥ−ＣＣＥそれぞれにより占有されるＲＥの数、すなわち、Ｙ’＝ｍｉｎ（Ｙ１’、Ｙ２’、Ｙ３’、Ｙ４’）として選択し、そしてＹ’を第２種のＥ−ＣＣＥそれぞれにより占有されるＲＥの数として設定するしてもよい。
【００４２】
第２種のＥ−ＣＣＥに含まれるＲＥの数は、現在の第２の特定のリソースに対してのみ適用可能であり；次の第２の特定のリソースにおいて、第２種のＥ−ＣＣＥの中に含まれるＲＥの数はリセットされる、ということに注意すべきである。
【００４３】
或いは、典型的には、第２種のＥ−ＣＣＥの現在の数又は複数のリソースサブセットを取得するための予め設定された整数に従って、基地局は、リソースセットを分割し、かつ他の複数のオーバーヘッドが各リソースサブセットから減算された後に取得される、利用可能なＲＥの数を、現在の第２の特定のリソースにおける第２種のＥ−ＣＣＥそれぞれに含まれるＲＥの数に設定する。また、各リソースサブセットは、何の情報も伝送せず、かつ総数Ｌに含まれない、いくつかのＲＥを有するので、第２種のＥ−ＣＣＥそれぞれに実際に含まれるＲＥの総数に従う計算方法は、何の情報も伝送しない複数のＲＥによる計算精度への影響を除外し、これにより計算結果をより正確にすることができる。
【００４４】
例えば、第２のリソースにおける第２種のＥ−ＣＣＥそれぞれにより占有されるサブキャリアの数及びＯＦＤＭシンボルのシリアル番号は固定されている。第２種の第１のＥ−ＣＣＥは、ＯＦＤＭシンボル＃０からＯＦＤＭシンボル＃１３を含む、サブキャリア＃０からサブキャリア＃２を含み；第２種の第２のＥ−ＣＣＥは、ＯＦＤＭシンボル＃０からＯＦＤＭシンボル＃１３を含む、サブキャリア＃３からサブキャリア＃５を含む、などといったことが仮定される。第２種の４つのＥ−ＣＣＥが今存在している場合であり、かつＲＥ（Ｒｅｆｅｒｅｎｃｅ  Ｓｉｇｎａｌ、パイロット信号）のオーバーヘッド及び他の複数のチャネルの複数のオーバーヘッド等が減算された後の第２種の第１のＥ−ＣＣＥに対して利用可能なＲＥの数がＹ１’であり、ＲＳのオーバヘッド及び他の複数のチャネルの複数のオーバーヘッドが減算された後の第２種の第２のＥ−ＣＣＥに対する利用可能なＲＥの数がＹ２’であり、第２種の第３のＥ−ＣＣＥに対して利用可能なＲＥの数がＹ３’であり、かつ第２種の第４のＥ−ＣＣＥに対して利用可能なＲＥの数がＹ４’である場合、第２種の各Ｅ−ＣＣＥに含まれるＲＥの数は、固定的にＹ＝ｆ（Ｙ１’、Ｙ２’、Ｙ３’、Ｙ４’）であり；第２種の各Ｅ−ＣＣＥに含まれるＲＥの数は適切な値に設定され、かつ第２の特定のリソースにおける第２種の各Ｅ−ＣＣＥにより占有されるＲＥの数は、固定値に従って設定される。
【００４５】
或いはまた、典型的には、基地局は、複数のリソースサブセットを取得するために、第２種のＥ−ＣＣＥの現在の数又は予め設定された整数に従って、リソースセットを分割してもよく、かつ他の複数のオーバーヘッドが各リソースサブセットから減算された後に取得される利用可能なＲＥの数を、現在の第２の特定のリソースについての第２種の各Ｅ−ＣＣＥに含まれるＲＥの数に設定してもよく、これにより、第２種の各Ｅ−ＣＣＥは、それぞれ、それ自身の特定の条件に従って、異なる数のＲＥを含むことになる。
【００４６】
或いは、典型的には、基地局はさらに、事前に設定されるＰＲＧ、又はＲＢＧ、又はシステム帯域幅、又は構成される制御チャネルの帯域幅、又は異なる複数のアグリゲーションレベル、又は同じアグリゲーションレベルにおける異なる複数のＥ−ＣＣＥの異なる複数のパラメータに従って、第２の特定のリソースにおける第２種のＥ−ＣＣＥに含まれるＲＥの数を、表６、７、８、９、及び１０に示されるように対応して設定してもよく、かつ第２の特定のリソースにおける第２種のＥ−ＣＣＥに含まれるＲＥの数を対応して取得し、かつ当該ＲＥの数を、第２の特定のリソースにおける第２種の各Ｅ−ＣＣＥに含まれるＲＥの数に設定してもよい。
【表６】
0006055844.tif 000007
【表７】
0006055844.tif 000008
【表８】
0006055844.tif 000009
【表９】
0006055844.tif 000010
【表１０】
0006055844.tif 000011
【００４７】
表１０は、同じアグリゲーションレベルにおいて第２種の異なる複数のＥ−ＣＣＥにより占有されるＲＥの数は異なることを反映しており；設定において、同じアグリゲーションレベルにおける第２種の複数のＥ−ＣＣＥにより占有されるＲＥの数は異なる場合がある、ということに注意すべきである。例えば、アグリゲーションレベル１において第２種のＥ−ＣＣＥに含まれるＲＥの数は４であり、かつアグリゲーションレベル１において、第２種の他のＥ−ＣＣＥに含まれるＲＥの数は５である。
【００４８】
ＰＲＧに含まれるＲＥの数は、構成される制御チャネル領域に従って決定され、複数のＰＲＢ又は複数のＥ−ＣＣＥにより構成される、ということに注意すべきである。制御チャネル領域を設定するための方法は、ＰＤＳＣＨ領域を設定するための方法とは異なり、かつ制御チャネル領域を設定するための方法は、表１１に従って、対応して取得されてもよい。
【表１１】
0006055844.tif 000012
【００４９】
本発明の複数の実施例により提供される制御チャネルを送受信するための方法、基地局、及びユーザ装置において、基地局は、システム構成及び／又はユーザ構成に従って、Ｅ−ＣＣＥに含まれる複数のＲＥを決定し、かつＥ−ＰＤＣＣＨをユーザ装置に送信する。ここで、Ｅ−ＰＤＣＣＨは、Ｅ−ＣＣＥにより伝送される。そしてユーザ装置は、基地局と同じ設定方法を用いて、Ｅ−ＣＣＥに含まれる複数のＲＥを取得し、かつＥ−ＣＣＥに含まれる複数のＲＥおいてＥ−ＰＤＣＣＨを受信する。Ｅ−ＣＣＥにより伝送されるＥ−ＰＤＣＣＨにおける利用可能な変更リソースに対して、変更するＥ−ＣＣＥを送受信のために対応して利用可能とするために、Ｅ−ＣＣＥは、固定的に設定され、かつ動的または準静的に設定され、これにより伝送効率が向上され、かつ送信の複雑性が低減される。
【００５０】
さらに、本発明の上記実施例は、第１の特定のリソースにおける第１種のＥ−ＣＣＥに含まれるＲＥの数又は第２の特定のリソースにおける第２種のＥ−ＣＣＥに含まれるＲＥの数を、基地局がどのように設定するかについて説明する。以下の実施例は、第１種のＥ−ＣＣＥ及び第２種のＥ−ＣＣＥをどのようにマッピングするかを説明するために、複数の例を用いる。
【００５１】
図２に示すように、２０は、ＲＥを表し、２１は、ＤＭＲＳパイロットを含むＲＥを表し、２２はＣＲＳ（Ｃｅｌｌ−ｓｐｅｃｉｆｉｃ  Ｒｅｆｅｒｅｎｃｅ  Ｓｉｇｎａｌ、セルパイロット信号）に含まれるＲＥを表し、２３はＰＲＢを表し、２４はＰＲＧ又はＲＢＧを表し、そして２５は第１種のＥ−ＣＣＥの開始位置を表す。第１種のＥ−ＣＣＥの予め設定された開始点から、最初に周波数領域において、そして次に時間領域において、又は最初に時間領域において、そして次に周波数領域において、第１種のＥ−ＣＣＥに含まれる複数のＲＥがマップされる。ここで、マッピング中に、他の複数のオーバーヘッドにより占有される１つ以上のＲＥが存在する場合、第１種のＥ−ＣＣＥは、複数のオーバーヘッドにより占有される複数のＲＥの位置にはマップされず、かつ複数のオーバーヘッドにより占有される複数のＲＥは、第１種のＥ−ＣＣＥに含まれるＲＥの数から対応して減算される。或いは、複数のオーバーヘッドにより占有される複数のＲＥ位置はスキップされ、そして第１種のＥ−ＣＣＥの中に含まれる決定された数のＲＥがマッピングされる。或いは、第１種のＥ−ＣＣＥの中に含まれるＲＥの数は、予め設定された開始点から直接マッピングされ、かつ複数のオーバーヘッドにより占有される複数の位置にマッピングされる制御チャネルは、複数のオーバーヘッドの送信のために、あけられる。
【００５２】
第２種のＥ−ＣＣＥの予め設定された開始点から、上記の複数の方法（本明細書ではさらには説明されない）のいずれか１つに従って、マッピングが行われる。
【００５３】
典型的には、構成された制御チャネル領域において、第１種のＥ−ＣＣＥ又は第２種のＥ−ＣＣＥの、周波数領域における検索開始点間又は検索領域の間の間隔は同じである。ここで当該間隔は１サブキャリア以上である。或いは、構成された制御チャネル領域において、第１種のＥ−ＣＣＥ又は第２種のＥ−ＣＣＥの、時間領域における検索開始点又は検索領域の間の間隔は同じである。ここで、当該間隔は、少なくとも１つの直交周波数分割多重ＯＦＤＭシンボルである。図３に示されるように、構成された制御チャネル領域において、各ＰＲＢ、ＰＲＢ対、ＰＲＧ、又はＲＢＧの範囲内で、第１種のＥ−ＣＣＥの検索開始点又は検索領域は、周波数領域で固定されている。例えば、第１種のＥ−ＣＣＥは、ｆｉ∈Ｆ１のサブキャリアの上にマッピングされ、かつ第２種のＥ−ＣＣＥは、ｆｉ∈Ｆ２のサブキャリアの上にマッピングされる。サブキャリアセットＦ１は、Ｎ個のサブキャリアグループに分割されてもよい。各サブキャリアにおいて、複数のサブキャリアは連続し、かつＮ個のサブキャリアグループの間の距離は固定されている。図３に示すように、３０はＲＥを表し、３１は、ＤＭＲＳパイロットに含まれるＲＥを表し、３２は、ＣＲＳに含まれるＲＥを表し、３３は、ＰＲＢを表し、３５は、第１種のＥ−ＣＣＥの検索開始点又は検索領域を表し、そして３６は、第２種のＥ−ＣＣＥの検索開始点又は検索領域を表す。
【００５４】
或いは、第１種のＥ−ＣＣＥの検索開始点又は検索領域は、周波数領域において、サブキャリア上の各ＰＲＢ、ＰＲＢ対、ＰＲＧ、又はＲＢＧの固定位置内にマッピングされ；第１種のＥ−ＣＣＥの位置は、各ＰＲＢ、ＰＲＢ対、ＰＲＧ、又はＲＢＧの領域内に固定され、かつ固定位置は、上位層の構成により予約されていると仮定して、図４に示されるように、４０は、ＲＥを表し、４１は、ＤＭＲＳパイロットに含まれるＲＥを表し、４２は、ＣＲＳに含まれるＲＥを表し、４３は、ＰＲＢを表し、４４は、ＰＲＧ又はＲＢＧを表し、４５は、第１種のＥ−ＣＣＥの検索開始点又は検索領域を表し、４６は、第２種の検索開始点又は検索領域を表し、そして第１種のＥ−ＣＣＥの検索開始位置又は検索領域は、２つのＰＲＢの間の中間位置に固定されている。
【００５５】
また、第１種のＥ−ＣＣＥは、ＰＲＧ又はＲＢＧの中の２つの隣接するＰＲＢと交差する。例えば、図５に示されるように、第１種の２つの隣接するＥ−ＣＣＥの検索開始位置又は検索領域は、各ＰＲＢの中間の位置に固定され、ここで、５０はＲＥを表し、５２は、ＤＭＲＳパイロットに含まれるＲＥを表し、５１は、ＣＲＳに含まれるＲＥを表し、５３は、ＰＲＢを表し、５４は、ＰＲＧ又はＲＢＧを表し、５５は、第１種のＥ−ＣＣＥの検索開始位置又は検索領域を表し、そして５６は、第２種のＥ−ＣＣＥの検索開始位置又は検索領域を表す。図５についての上記説明において、複数の例は、周波数領域において第２種のＥ−ＣＣＥの検索開始位置又は検索領域の位置が固定されている場合を説明するためにのみ用いられており、そして複数の位置は、何ら限定されるものではない。
【００５６】
同じＰＲＧの中の第１種の複数のＥ−ＣＣＥは、同じプリコーディングベクトルを有し、かつ第２種の複数のＥ−ＣＣＥは同じプリコーディングベクトルを有し；第１種のＥ−ＣＣＥの検索領域及び第２種のＥ−ＣＣＥの検索領域は、ＰＲＢ、ＰＲＧ、又はＲＢＧの周波数分割多重又は時分割多重により用いられ、そしてＰＲＧの中の同じ種類の複数のＥ−ＣＣＥは、共同のチャネル推定を実行するための同じプリコーディングベクトルを有する、ということに注意すべきである。
【００５７】
別の態様において、第２種のＥ−ＣＣＥが周波数領域においてマッピングされる場合、第２種のＥ−ＣＣＥの検索開始点又は検索領域は固定されてもよく、ここで固定された位置関係は、上記の複数の図において示されている通りであってもよい。しかしながら、第２種のＥ−ＣＣＥの検索開始点又は検索領域は、現在の送信される第２の特定のリソースにおいてのみ固定され、そして第２種のＥ−ＣＣＥの検索開始点又は検索領域を固定する任意の方法は、第１種のＥ−ＣＣＥの検索開始位置又は検索領域を固定する任意の方法と一致してもよく、これについては何ら限定されない、ということに注意すべきである。
【００５８】
また、時間領域において多重化が行われる場合、第１種のＥ−ＣＣＥは、第１のリソースセットにマッピングされ、ここで、第１のリソースセットは、第１のサブフレームセット又は第１のタイムスロットセット又は第１のＯＦＤＭセットを含み；第２種のＥ−ＣＣＥは、第２のリソースセットにマッピングされ、ここで、第２のリソースセットは、第２のサブフレームセット又は第２のタイムスロットセット又は第２のＯＦＤＭセットを含み；かつ第１のリソースセット及び第２のリソースセットは、共通部分を有するか、又は共通部分を有しない。
【００５９】
第１種のＥ−ＣＣＥは、ｎｉ∈Ａ１のＯＦＤＭシンボルを含み、かつｎｓ∈Ｂ１のタイムスロットに対して又はｎｆ∈Ｃ１のサブフレームに対してマッピングされ；第２種のＥ−ＣＣＥは、ｎｉ∈Ａ２のＯＦＤＭシンボルを含み、かつｎｓ∈Ｂ２のタイムスロット又はｎｆ∈Ｃ２のサブフレームに対してマッピングされ、ここで、集合Ａ１及びＡ２は、共通部分を持たなくてもよく、又は部分的に重なり合ってもよく；Ｂ１及びＢ２は、共通部分を持たなくてもよく、又は部分的に重なり合ってもよく；集合Ｃ１及びＣ２は、共通部分をもたなくてもよく、又は部分的に重なり合ってもよい、ということが仮定される。
【００６０】
第１のリソースセットは、ＣＳＩ−ＲＳを含まないリソースセットであるか又はマルチキャストブロードキャスト単一周波数ネットワークＭＢＳＦＮセットであり；第１のリソースセット及びＣＳＩ−ＲＳを含む第３のリソースセットが共通部分を有する場合、当該共通部分の中で衝突する複数の時間リソースにおいては、ＣＳＩ−ＲＳは送信されない。Ｃ１がＣＳＩ−ＲＳを含まないサブフレームであるか、又はＭＢＳＦＮ（Ｍｕｌｔｉｃａｓｔ  Ｂｒｏａｄｃａｓｔ  Ｓｉｎｇｌｅ  Ｆｒｅｑｕｅｎｃｙ  Ｎｅｔｗｏｒｋｓ、マルチキャストブロードキャスト単一種は数ネットワーク）サブフレームである場合、ＭＢＳＦＮサブキャリアは、いくつかのパイロットを伝送し、かつＣＳＩ−ＲＳは伝送しない。
【００６１】
或いは、Ｃ１のサブフレームセットが＃１、＃２、＃３、＃５、及び＃９を含み、一方で別のサブフレームセットＣ３のＣＳＩ−ＲＳが＃３、＃４、＃５、及び＃６を含む場合、これは、２つのサブフレームのセットは、＃３及び＃５においてセットの衝突を有することを意味し、この場合＃３及び＃５は、何の情報も伝送せず；サブフレームセットＣ１は、＃３及び＃５で、第１種のＥ−ＣＣＥを送信せず；そしてサブフレームセットＣ３は、＃３及び＃５でＣＳＩ−ＲＳを送信しない。
【００６２】
Ａ１、Ａ２、Ｂ１、Ｂ２、Ｃ１及びＣ２は、上位層により構成されるか、或いは所定の規則に従って固定的に設定される。
【００６３】
第１種のＥ−ＣＣＥ及び第２種のＥ−ＣＣＥは、それら自身の使用空間を有することに注意すべきである。典型的には、Ｅ−ＰＤＣＣＨ領域を伝送するＥ−ＣＣＥは、共通検索領域及びユーザ固有の検索領域に分割されるので、第１種のＥ−ＣＣＥは共通検索領域のために使用され、そして第２種のＥ−ＣＣＥは、ユーザ固有の検索領域のために使用される。
【００６４】
或いは、異なる複数のリソースマッピング方法を利用する複数のＥ−ＣＣＥは、異なる種別の複数のＥ−ＣＣＥに対してマッピングされる。ここで、個別のリソースマッピングを利用したＥ−ＣＣＥは第１種のＥ−ＣＣＥであり、そして集中リソースマッピングを使用したＥ−ＣＣＥは、第２種のＥ−ＣＣＥである。
【００６５】
或いは、制御チャネルが異なる複数のＲＮＴＩによりスクランブルされる場合、第１種のＥ−ＣＣＥ又は第２種のＥ−ＣＣＥが用いられる。ここで、第１種のＥ−ＣＣＥは、制御チャネルがＳＩ−ＲＮＴＩ（ｓｙｓｔｅｍ  ｉｎｆｏｒｍａｔｉｏｎ  Ｒａｄｉｏ  Ｎｅｔｗｏｒｋ  Ｔｅｍｐｏｒａｒｙ  Ｉｄｅｎｔｉｆｉｅｒ）、Ｐ−ＲＮＴＩ（ｐａｇｉｎｇ  Ｒａｄｉｏ  Ｎｅｔｗｏｒｋ  Ｔｅｍｐｏｒａｒｙ  Ｉｄｅｎｔｉｆｉｅｒ）、ＲＡ−ＲＮＴＩ（ｒａｎｄｏｍ  ａｃｃｅｓｓ  Ｒａｄｉｏ  Ｎｅｔｗｏｒｋ  Ｔｅｍｐｏｒａｒｙ  Ｉｄｅｎｔｉｆｉｅｒ）、及びＳＰＳ  Ｃ−ＲＮＴＩ（Ｓｅｍｉ−Ｐｅｒｓｉｓｔｅｎｔ  Ｓｃｈｅｄｕｌｉｎｇ  Ｃ−ＲＮＴＩ）によりスクランブルされる場合に用いられ、一方で、第２種のＥ−ＣＣＥは、制御チャネルがＣ−ＲＮＴＩによりスクランブルされる場合に用いられる。
【００６６】
他の場合には、複数の制御チャネルの複数の異なるチャネルフォーマットに従い、第１種のＥ−ＣＣＥ又は第２種のＥ−ＣＣＥが用いられる。例えば、全ての制御チャネルフォーマットのＤＣＩフォーマットは、以下のグループに分類される：１、１Ａ、３、３Ａ、２、２Ｂ、及び２Ｃ。ここで、ｆｉは、ＤＣＩフォーマットを示すために用いられ；第１のグループは、（ｆ１、ｆ２、…、ｆＮ）を含み、第２のグループは、（ｆＮ＋１、ｆＮ）を含む。ここで、第１のグループは、第１種のＥ−ＣＣＥを使用し、第２のグループは、第２種のＥ−ＣＣＥを使用する。
【００６７】
本発明の複数の実施例により提供される制御チャネルを送受信する複数の方法、基地局、及びユーザ装置において、基地局は、システム構成及び／又はユーザ構成に従って、Ｅ−ＣＣＥに含まれる複数のＲＥを決定し、そしてＥ−ＰＤＣＣＨであって、Ｅ−ＣＣＥにより伝送される、Ｅ−ＰＤＣＣＨ、をユーザ装置に送信し；そしてユーザ装置は、基地局と同じ設定方法を用いて、Ｅ−ＣＣＥに含まれる複数のＲＥを取得し、そしてＥ−ＣＣＥに含まれる複数のＲＥにおいてＥ−ＰＤＣＣＨを受信する。Ｅ−ＣＣＥは、Ｅ−ＣＣＥにより伝送されるＥ−ＰＤＣＣＨの利用可能な変化する複数のリソースに対して、変化するＥ−ＣＣＥが送信及び受信のために対応して利用可能となるように、固定的に設定され、かつ動的又は準静的に設定される。これにより、伝送効率が向上され、かつ送信の複雑さが低減される。
【００６８】
本発明の実施例は、制御チャネルの受信方法を提供する。図６に示されるように、当該方法は、以下の複数のステップを含む。
【００６９】
Ｓ２０１．ユーザ装置は、拡張制御チャネルエレメントＥ−ＣＣＥに含まれる複数のリソースエレメントＲＥを取得する。ここで、Ｅ−ＣＣＥに含まれる複数のＲＥは、システム構成及び／又はユーザ構成に従って、決定される。
【００７０】
さらに、ユーザ装置は、第１の特定のリソースにおいて、固定数のＲＥを含む第１種のＥ−ＣＣＥを取得し；及び／又は第２の特定のリソースにおいて、可変数のＲＥを含む第２種のＥ−ＣＣＥを取得する。
【００７１】
典型的には、ユーザ装置は、リソースセットに含まれる複数のリソースエレメントＲＥ及び当該リソースセットの中の所定の複数のオーバーヘッドの複数のＲＥに従って、拡張制御チャネルエレメントＥ−ＣＣＥに含まれる複数のリソースエレメントＲＥを取得する。
【００７２】
具体的には、ユーザ装置は、リソースセットに含まれるＲＥの数及び所定の複数のオーバーヘッドに含まれるＲＥの数に従って、計算を行い、そしてその後、Ｅ−ＣＣＥに含まれる利用可能なＲＥの数を取得するために、計算結果を四捨五入する。ここで、利用可能なＲＥの数は、Ｚとして記録される；かつ
【００７３】
Ｚが予め設定された第１の閾値よりも大きくかつ予め設定された第２の閾値よりも小さい場合、ユーザ装置は、Ｚを、第１の特定のリソースにおける第１種のＥ−ＣＣＥそれぞれに含まれるＲＥの数として決定し；又はＺが予め設定された第１の閾値よりも小さい場合、第１の閾値を、第１の特定のリソースにおける第１種のＥ−ＣＣＥそれぞれに含まれるＲＥの数として決定し；又はＺが予め設定した第２の閾値よりも大きい場合、第２の閾値を、第１の特定のリソースにおける第１種のＥ−ＣＣＥそれぞれに含まれるＲＥの数として決定する。
【００７４】
リソースセットは、ＰＲＢ、又はＰＲＢ対、又はＰＲＧ、又はＲＢＧ、又は各種Ｅ−ＣＣＥに分割されるセットである。他の複数のオーバーヘッドは、パイロットオーバーヘッド及び／又は他の複数のチャネルの複数のオーバヘッドの内の１つ以上を含む。例えば、パイロットオーバーヘッドは、チャネル状態インジケータ・パイロットシンボルＣＳＩ−ＲＳ、又はセルパイロット信号ＣＲＳ、又は復調パイロットＤＭＲＳ、又はミュートされるＲＥであってもよく；かつ他の複数のチャネルの複数のオーバーヘッドは、ページングチャネルオーバーヘッド、又は同期チャネルオーバーヘッドであってもよい。
【００７５】
或いは、典型的には、第１種のＥ−ＣＣＥそれぞれに含まれるＲＥの数は、リソースセットに含まれるＲＥの数及び所定の複数のオーバーヘッドに含まれるＲＥの数又はリソースセットの中のＥ−ＣＣＥの数に従って計算され、そしてＸと記録される。ここで、Ｘは、第１の特定のリソースにおける第１種のＥ−ＣＣＥそれぞれに含まれるＲＥの数に設定される。
【００７６】
或いは、第１の特定のリソースにおける第１種のＥ−ＣＣＥそれぞれに含まれるＲＥの数は予め設定され、そしてＹとして記録される。ここで、Ｙは、第１のリソースにおける第１種のＥ−ＣＣＥそれぞれに現在含まれるＲＥの数に設定される。
【００７７】
或いは、典型的には、ユーザ装置は、複数のリソースサブセットを取得するために、Ｅ−ＣＣＥの数に従って、リソースセットを分割し、所定の複数のオーバーヘッドが各リソースサブセットから減算された後に取得される利用可能なＲＥの数に従って、特定の関数を使用することにより、一意の値を取得し、そして当該一意の値を第１の特定のリソースにおける第１種のＥ−ＣＣＥそれぞれに含まれるＲＥの数として決定する。例えば、ユーザ装置は、特定の関数を用いることにより、一意の値を取得し、ここで当該一意の値は、他の複数のオーバーヘッドが各リソースサブセットから減算された後に取得される利用可能なＲＥの数の最小値である。
【００７８】
或いは、ユーザ装置は、複数のリソースサブセットを取得するために、Ｅ−ＣＣＥの数に従って、Ｅ−ＰＤＣＣＨを伝送するリソースサブセットを分割し、そして各リソースサブセットから他の複数のオーバーヘッドが減算された後に取得される利用可能なＲＥの数を、第１の特定のリソースの中の第１種のＥ−ＣＣＥそれぞれに含まれるＲＥの数として、それぞれ決定する。
【００７９】
或いは、ユーザ装置は、上記構成方法の実施例の表１から５に従って、第１の特定のリソースの中の第１種の各Ｅ−ＣＣＥに含まれるＲＥの数を、それに対応して決定する。すなわち、ユーザ装置は、ＰＲＧ、又はＲＢＧ、又はシステム帯域幅、又は構成される制御チャネル帯域幅、又は異なる複数のアグリゲーションレベル、又は同じアグリゲーションレベルにおける異なる複数のＥ−ＣＣＥの異なる複数のパラメータに従って、第１種のＥ−ＣＣＥに含まれるＲＥの数を、それに対応して決定する。
【００８０】
現在の第２の特定のリソースにおける第２種のＥ−ＣＣＥに含まれるＲＥの数は、上記複数の方法のうちのいずれか１つによって決定されてもよい。第２種のＥ−ＣＣＥにより占有されるＲＥの数が決定された場合、所定の複数のオーバーヘッドは、第１種のＥ−ＣＣＥのそれらとは異なるかもしれない、ということに注意すべきである。詳細な決定方法は、ユーザ装置により知られている基地局の設定方法に従って決定されてもよく、本明細書において追加の説明は行われない。
【００８１】
ユーザ装置は、第１種の受信されたＥ−ＣＣＥ又は第２種の受信されたＥ−ＣＣＥに対して、それらにそれぞれ含まれるＲＥの数に従って、リソースデマッピングを行う。例えば、第１種のＥ−ＣＣＥの予め設定された開始点から、最初に周波数領域で、そして次に時間領域で、又は最初に時間領域で、そして次に周波数領域で、第１種のＥ−ＣＣＥに含まれる複数のＲＥのリソースデマッピングを実行し、そして当該リソースデマッピングの際に他の複数のオーバーヘッドにより占有される複数のＲＥが存在する場合、当該複数のオーバーヘッドにより占有される複数のＲＥの位置の中の第１種のＥ−ＣＣＥに対するリソースデマッピングは行わない。ここで、当該複数のオーバーヘッドにより占有される複数のＲＥは、第１種のＥ−ＣＣＥの中に含まれるＲＥの数からそれに対応して減算される；或いは当該複数のオーバーヘッドにより占有される複数のＲＥ位置を省略し、そして第１種のＥ−ＣＣＥの中に含まれる決定されたＲＥの数まで、リソースデマッピングを実行し続ける。
【００８２】
第２種のＥ−ＣＣＥの予め設定された開始点から、上記複数の方法のいずれか１つに従って、リソースデマッピングが実行される。これについては、本明細書において、追加の説明は行われない。
【００８３】
さらに、第１種のＥ−ＣＣＥ又は第２種のＥ−ＣＣＥが検出され、そしてユーザ装置により予測される第１種のＥ−ＣＣＥ又は第２種のＥ−ＣＣＥの検索開始点又は検索領域に従って、第１種のＥ−ＣＣＥ又は第２種のＥ−ＣＣＥが検出される。
【００８４】
典型的には、構成された制御チャネル領域において、第１種のＥ−ＣＣＥ又は第２種のＥ−ＣＣＥは、周波数領域における検索開始点の間又は検索領域の間の同じ間隔を有し、当該間隔はサブキャリア１つ以上であるか、又は時間領域における検索開始点の間又は検索領域の間の同じ間隔を有し、当該間隔は、直交周波数分割多重ＯＦＤＭシンボル１つ以上である。
【００８５】
或いは、構成された制御チャネル領域の中の各ＰＲＢ、ＰＲＢ対、ＰＲＧ、又はＲＢＧの範囲内において、第１種のＥ−ＣＣＥ又は第２種のＥ−ＣＣＥの検索開始点又は検索領域は固定されている。
【００８６】
或いは、第１種のＥ−ＣＣＥは、ＰＲＧ又はＲＢＧの中の２つの隣接するＰＲＢと交差する。
【００８７】
ＰＲＧ検出の際に、ＰＲＧに含まれるＲＥの数は、構成される制御チャネル領域に従って決定され、そして複数のＰＲＢ又はＥ−ＣＣＥを含む、ということに注意すべきである。制御チャネル領域を設定する方法は、物理下りリンク共有チャネルＰＤＳＣＨ領域を設定するための方法とは異なる。
【００８８】
時間領域において、第１種のＥ−ＣＣＥは、第１のリソースセットの中において検出され、ここで、当該第１のリソースセットは、第１のサブフレームセット又は第１のタイムスロットセット又は第１のＯＦＤＭシンボルセットを含み；第２種のＥ−ＣＣＥは、第２のリソースセットの中において検出され、ここで、第２のリソースセットは、第２のサブフレームセット又は第２のタイムスロットセット又は第２のＯＦＤＭシンボルセットを含み；かつ第１のリソースセット及び第２のリソースセットは、共通部分を有するか、又は共通部分を有しない。
【００８９】
さらに、第１のリソースセットは、ＣＳＩ−ＲＳを含むリソースセットであるか、又はマルチキャストブロードキャスト単一周波数ネットワークＭＢＳＦＮリソースセットであり；そして第１のリソースセット及びＣＳＩ−ＲＳを含む第３のリソースセットが共通部分を含む場合、リソースセットの共通部分には、ＣＳＩ−ＲＳは存在しない。
【００９０】
検出の際に、第１種のＥ−ＣＣＥの復調パイロットＤＭＲＳポートが固定されており、かつ第２種のＥ−ＣＣＥの復調パイロットＤＭＲＳポートが動的に変更可能であるという事実に従って、対応する情報が取得されてもよい。
【００９１】
或いは、ユーザ装置は、送信ダイバーシティモード又はプリコーディングモードにおいて、第１種のＥ−ＣＣＥを検出し、そしてプリコーディングモードにおいて、第２種のＥ−ＣＣＥを検出する。
【００９２】
第１種のＥ−ＣＣＥは、共通の検索領域の中で検出され；第２種のＥ−ＣＣＥは、ユーザ固有の検索領域の中で検出されることに注意すべきである。ＣＳＩ−ＲＳ構成又は他のＲＲＣシグナリングが受信される前に、共通の検索領域の中で第１種のＥ−ＣＣＥが検出された場合、第１種のＥ−ＣＣＥに含まれるＲＥの数に従って、ユーザ固有の検索領域の中で第１種のＥ−ＣＣＥが検出されてもよく；ＣＳＩ−ＲＳ構成又は他のＲＲＣシグナリングが受信された後、ユーザ固有の検索領域の中において、第２種のＥ−ＣＣＥが検出されてもよい。
【００９３】
また、ユーザ装置は、異なる複数の無線ネットワーク一時識別子によりスクランブルされる制御チャネルに従って、第１種のＥ−ＣＣＥ又は第２種のＥ−ＣＣＥを検出し、或いは制御チャネルの下りリンク制御情報ＤＣＩフォーマットグループ（ｄｏｗｎｌｉｎｋ  ｃｏｎｔｒｏｌ  ｉｎｆｏｒｍａｔｉｏｎ  ＤＣＩ  ｆｏｒｍａｔ  ｇｒｏｕｐ）に従って、第１種のＥ−ＣＣＥ又は第２種のＥ−ＣＣＥを検出する。
【００９４】
Ｓ２０２．ユーザ装置は、Ｅ−ＣＣＥに含まれる複数のＲＥおいて、基地局により送信される拡張物理下りリンク制御チャネルＥ−ＰＤＣＣＨを受信する。
【００９５】
ユーザ装置は、基地局により送信されるブロードキャスト通知、システム情報通知、又はＲＲＣシグナリング通知に従って、第１種のＥ−ＣＣＥ又は第２種のＥ−ＣＣＥに含まれるＲＥの数をさらに決定してもよく、或いは、共通チャネル通知から、第２種のＥＥＣ及び第２の特定のリソースに含まれるＲＥの数を取得してもよい、ということに注意すべきである。
【００９６】
さらに、ユーザ装置は、ＣＣＥの開始点に従って、第１種のＥ−ＣＣＥであるか、又は第２種のＥ−ＣＣＥであるかをさらに決定してもよく、或いは第１種のＥ−ＣＣＥ又は第２種のＥ−ＣＣＥに従って、それぞれの開始位置を決定してもよい。
【００９７】
本実施例において、ユーザ装置は、基地局により知られる同じ設定方法及びマッピング方法に従って、リソースデマッピング及び検出を実行してもよく、そして本明細書においては、繰り返しのステップの追加の説明は行われない。
【００９８】
本発明の複数の実施例により提供される制御チャネルを送受信するための複数の方法、基地局、及びユーザ装置において、基地局は、システム構成及び／又はユーザ構成に従って、Ｅ−ＣＣＥに含まれる複数のＲＥを決定し、かつユーザ装置に、Ｅ−ＰＤＣＣＨであって、Ｅ−ＣＣＥにより伝送される、Ｅ−ＰＤＣＣＨ、を送信し；そしてユーザ装置は、基地局と同じ設定方法を用いることにより、Ｅ−ＣＣＥに含まれる複数のＲＥを取得し、かつＥ−ＣＣＥに含まれる複数のＲＥにおいて、Ｅ−ＰＤＣＣＨを受信する。Ｅ−ＣＣＥにより伝送されるＥ−ＰＤＣＣＨにおける利用可能な変化する複数のリソースに対して、変化するＥ−ＣＣＥが送信及び受信について対応して利用可能となるように、Ｅ−ＣＣＥは、固定的に設定され、そして動的又は準静的に設定され、これにより伝送効率が向上され、かつ伝送の複雑さが低減される。
【００９９】
図７に示されるように、本発明の実施例により提供される基地局６０は、処理部６０１及び送信部６０２を備える。
【０１００】
処理部６０１は、システム構成及び／又はユーザ構成に従って、拡張制御チャネルエレメントＥ−ＣＣＥに含まれる複数のリソースエレメントＲＥを決定するように構成されている。
【０１０１】
図８に示されるように、典型的には、処理部６０１は、設定モジュール６０１１及びマッピングモジュール６０１２を備える。
【０１０２】
設定モジュール６０１１は、リソースセットに含まれる複数のリソースエレメントＲＥ及びリソースセットの中の所定の複数のオーバーヘッドの複数のＲＥに従って、拡張制御チャネルエレメントＥ−ＣＣＥに含まれる複数のリソースエレメントＲＥを決定するように構成されている。
【０１０３】
設定モジュール６０１１は、具体的には、リソースセットに含まれる複数のＲＥの数及びリソースセットの中の所定の複数のオーバーヘッドのＲＥの数に従って、リソースセットの中の利用可能なＲＥの数を取得し；リソースセットの中の利用可能なＲＥの数及びリソースセットの中の所定の複数のオーバーヘッドのＲＥの数に従って、各Ｅ−ＣＣＥに対して利用可能なＲＥの数を取得し；かつ各Ｅ−ＣＣＥに対して利用可能なＲＥの数に従って、各Ｅ−ＣＣＥに含まれるＲＥの数を決定するように構成されている。
【０１０４】
或いは、設定モジュール６０１１は、具体的には：各Ｅ−ＣＣＥに対して利用可能なＲＥの数が、予め設定された第１の閾値よりも大きく、かつ予め設定された第２の閾値よりも小さい場合、各Ｅ−ＣＣＥに対して利用可能なＲＥの数を、各Ｅ−ＣＣＥに含まれるＲＥの数として設定し；各Ｅ−ＣＣＥに対して利用可能なＲＥの数が予め設定された第１の閾値よりも小さい場合、第１の閾値を、特定のリソースにおける各Ｅ−ＣＣＥに含まれるＲＥの数に設定し；及び／又は各Ｅ−ＣＣＥに対して利用可能なＲＥの数が予め設定された第２の閾値よりも大きい場合、第２の閾値を、特定のリソースにおける各Ｅ−ＣＣＥに含まれるＲＥの数に設定するように構成されている。
【０１０５】
或いは、設定モジュール６０１１は、具体的には：複数のリソースサブセットを取得するためにリソースセットの中の所定数のＥ−ＣＣＥに従って、リソースセットを分割し；各リソースサブセットに含まれるＲＥの数及び各リソースサブセットの中の所定の複数のオーバーヘッドのＲＥの数に従って、各リソースセットの中の利用可能なＲＥの数を取得し；かつ各リソースサブセットの中の利用可能なＲＥの数に従って、リソースセットの中の各Ｅ−ＣＣＥに含まれるＲＥの数を決定するように構成されている。
【０１０６】
或いは、設定モジュール６０１１は、具体的には、予め設定されたプリコーディングリソースブロックグループＰＲＧ、リソースブロックグループＲＢＧ、システム帯域幅、構成された制御チャネルの帯域幅、異なる複数のアグリゲーションレベル、及び同じアグリゲーションレベルにおける異なる複数のＥ−ＣＣＥの異なる複数のパラメータの内の１つ以上に従って、Ｅ−ＣＣＥに含まれるＲＥの数を決定するように構成されている。
【０１０７】
マッピングモジュール６０１２は：Ｅ−ＣＣＥの予め設定された開始点から、最初に周波数領域において、そして次に時間領域において、又は最初に時間領域において、そして次に周波数領域において、Ｅ−ＣＣＥに含まれる複数のＲＥのマッピングを行い、ここで、マッピングの際に、所定の複数のオーバーヘッドにより占有される複数のＲＥが存在する場合、当該所定の複数のオーバーヘッドにより占有される複数のＲＥの位置にはＥ−ＣＣＥはマッピングされず、かつ所定の複数のオーバーヘッドにより占有される複数のＲＥは、Ｅ−ＣＣＥに含まれるＲＥの数から対応して減算され；又は所定の複数のオーバーヘッドにより占有される複数のＲＥの位置を省略し、かつＥ−ＣＣＥに含まれるＲＥの数のマッピングを行い；又は予め設定されたＥ−ＣＣＥの開始点から、Ｅ−ＣＣＥに含まれるＲＥの数、マッピングを行うように構成されている。ここで、所定の複数のオーバーヘッドにより占有される複数のＲＥにマッピングされる制御チャネルは、当該所定の複数のオーバーヘッドを送信するためにあけられる。
【０１０８】
複数のＥ−ＣＣＥは、含まれるＲＥの個数に従って、固定数のＲＥが含まれる第１種のＥ−ＣＣＥ及び動的に変更可能な数のＲＥが含まれる第２種のＥ−ＣＣＥに分類され、処理部６０１は、第１種のＥ−ＣＣＥ及び第２種のＥ−ＣＣＥに含まれるＲＥの数及びマッピング方法に従って、時間領域及び周波数領域内の多重化及びマッピング及び特徴処理を実行するということに注意すべきである。
【０１０９】
送信部６０２は、拡張物理下りリンク制御チャネルＥ−ＰＤＣＣＨをユーザ装置に送信するように構成されている。ここで、Ｅ−ＰＤＣＣＨは、Ｅ−ＣＣＥにより伝送される。
【０１１０】
さらに、送信部６０２は、具体的には、ブロードキャスト、システム情報、又は無線リソース制御プロトコルＲＲＣシグナリングにより、第２種のＥ−ＣＣＥに含まれる複数のＲＥ及び／又は第２種のＥ−ＣＣＥに含まれる複数のＲＥを、ユーザ装置に通知するように構成されている。
【０１１１】
上記基地局６０は、上記方法の実施例に対応する。基地局６０は、上記方法の実施例における複数のステップにおいて使用されてもよく、各ステップにおけるその具体的な応用については、上記方法の実施例を参照することができ、そして本明細書においては、追加の説明は行われない。
【０１１２】
本発明の複数の実施例により提供される制御チャネルを送受信するための複数の方法、基地局、及びユーザ装置において、基地局は、システム構成及び／又はユーザ構成に従って、Ｅ−ＣＣＥに含まれる複数のＲＥを決定し、かつＥ−ＰＤＣＣＨをユーザ装置に送信し、ここで、Ｅ−ＰＤＣＣＨは、Ｅ−ＣＣＥにより伝送され；そしてユーザ装置は、基地局と同じ設定方法を用いることにより、Ｅ−ＣＣＥに含まれる複数のＲＥを取得し、かつＥ−ＣＣＥに含まれる複数のＲＥにおいてＥ−ＰＤＣＣＨを受信する。Ｅ−ＣＣＥにより伝送されるＥ−ＰＤＣＣＨにおける利用可能な変化する複数のリソースに対して、変化するＥ−ＣＣＥが送信及び受信のために対応して利用可能となるように、Ｅ−ＣＣＥは固定的に設定され、かつ動的又は準静的に設定され、これにより伝送効率が向上され、かつ送信の複雑性が低減される。
【０１１３】
本発明の実施例により提供されるユーザ装置７０は、図９に示されるように、処理部７０１及び受信部７０２を備える。
【０１１４】
処理部７０１は、拡張制御チャネルエレメントＥ−ＣＣＥに含まれる複数のリソースエレメントＲＥを取得するように構成されている。ここで、Ｅ−ＣＣＥに含まれる複数のＲＥは、システム構成及び／又はユーザ構成に従って決定される。
【０１１５】
さらに、図１０に示されるように、処理部７０１は、取得モジュール７０１１及びリソースデマッピングモジュール７０１２を含んでもよい。
【０１１６】
取得モジュール７０１１は、リソースセットに含まれる複数のリソースエレメントＲＥ及びリソースセットの中の所定の複数のオーバーヘッドの複数のＲＥに従って、拡張制御チャネルエレメントＥ−ＣＣＥに含まれる複数のリソースエレメントＲＥを取得するように構成され；かつ具体的には：リソースセットに含まれるＲＥの数及びリソースセットの中の所定の複数のオーバーヘッドのＲＥの数に従って、リソースセットの中の利用可能なＲＥの数を取得し、リソースセットの中の利用可能なＲＥの数及びリソースセットの中の所定の複数のオーバーヘッドのＲＥの数に従って、各Ｅ−ＣＣＥに対して利用可能なＲＥの数を取得し；かつ各Ｅ−ＣＣＥに対して利用可能なＲＥの数に従って、各Ｅ−ＣＣＥに含まれるＲＥの数を取得するように構成され；又は具体的には：各Ｅ−ＣＣＥに対して利用可能なＲＥの数が予め設定された第１の閾値よりも大きく、かつ予め設定された第２に閾値よりも小さい場合、各Ｅ−ＣＣＥに対して利用可能なＲＥの数を、各Ｅ−ＣＣＥに含まれるＲＥの数として取得し；各Ｅ−ＣＣＥに対して利用可能なＲＥの数が予め設定された第１の閾値よりも小さい場合、第１の閾値を、特定のリソースにおける各Ｅ−ＣＣＥに含まれるＲＥの数として取得し；及び／又は各Ｅ−ＣＣＥに対して利用可能なＲＥの数が予め定められた第２の閾値よりも大きい場合、第２の閾値を、特定のリソースの各Ｅ−ＣＣＥに含まれるＲＥの数として取得するように構成され；又は具体的には：複数のリソースサブセットを取得するために、リソースセットの中の所定数のＥ−ＣＣＥに従って、リソースセットを分割し；各リソースサブセットに含まれるＲＥの数及び各リソースサブセットの中の所定の複数のオーバーヘッドのＲＥの数に従って、各リソースセットの中の利用可能なＲＥの数を取得し；かつ各リソースサブセットの中の利用可能なＲＥの数に従って、リソースセットの中の各Ｅ−ＣＣＥに含まれるＲＥの数を取得するように構成され；又は予め設定されたプリコーディングリソースブロックグループＰＲＧ、リソースブロックグループＲＢＧ、システム帯域幅、構成された制御チャネルの帯域幅、異なる複数のアグリゲーションレベル、及び同じアグリゲーションレベルにおける異なる複数のＥ−ＣＣＥの異なる複数のパラメータのうちの１つ以上に従って、Ｅ−ＣＣＥに含まれるＲＥの数を取得するように構成される。
【０１１７】
リソースデマッピングモジュール７０１２は：Ｅ−ＣＣＥの予め設定された開始点から、最初に周波数領域において、そして次に時間領域において、又は最初に時間領域において、そして次に周波数領域において、Ｅ−ＣＣＥに含まれる複数のＲＥに対して、リソースデマッピングを実行するように構成されている。リソースデマッピングの際に所定の複数のオーバーヘッドにより占有される複数のＲＥが存在する場合、当該所定の複数のオーバーヘッドにより占有される複数のＲＥの位置をスキップし、かつリソースデマッピングを実行する。ここで、デマッピングされるシンボルの数は、所定の複数のオーバーヘッドにより占有される複数のＲＥが対応して減算された後の、Ｅ−ＣＣＥに含まれるＲＥの数である。或いは、リソースデマッピングの際に、所定の複数のオーバーヘッドにより占有される複数のＲＥが存在する場合、当該所定の複数のオーバーヘッドにより占有される複数のＲＥの位置をスキップする。ここで、デマッピングされたシンボルの数は、Ｅ−ＣＣＥに含まれるＲＥの数である。
【０１１８】
処理部７０１は、Ｅ−ＣＣＥを処理するように構成され、当該Ｅ−ＣＣＥは、第１種のＥ−ＣＣＥ及び／又は第２種のＥ−ＣＣＥを含み、第１種のＥ−ＣＣＥに含まれるＲＥの数は第１の特定のリソースにおいて固定され、かつ第２種のＥ−ＣＣＥに含まれるＲＥの数は第２の特定のリソースにおいて準静的又は動的に変化する、ということに注意すべきである。
【０１１９】
受信部７０２は、Ｅ−ＣＣＥに含まれる複数のＲＥにおいて、基地局により送信される拡張物理下りリンク制御チャネルＥ−ＰＤＣＣＨを受信するように構成されている。
【０１２０】
さらに、処理部７０１は、具体的には、受信部７０２を用いて、ブロードキャスト、システム情報、又は無線リソース制御プロトコルＲＲＣシグナリングにより、基地局により送信される第１種のＥ−ＣＣＥに含まれる複数のＲＥ及び／又は第２種のＥ−ＣＣＥに含まれる複数のＲＥを取得するように構成されている。
【０１２１】
上記ユーザ装置７０は、上記方法の実施例に対応する。ユーザ装置７０は、上記方法の実施例の複数のステップにおいて用いられてもよく、かつ各ステップにおけるその具体的な応用については、上記方法の実施例を参照することができ、そして本明細書においては、追加の説明は行われない。
【０１２２】
本発明の複数の実施例により提供される制御チャネルを送受信する複数の方法、基地局、及びユーザ装置において、基地局は、システム構成及び／又はユーザ構成に従って、Ｅ−ＣＣＥに含まれる複数のＲＥを決定し、かつＥ−ＰＤＣＣＨであって、Ｅ−ＣＣＥにより伝送される、Ｅ−ＰＤＣＣＨ、をユーザ装置に送信し；かつユーザ装置は、基地局と同じ設定方法を用いることにより、Ｅ−ＣＣＥに含まれる複数のＲＥを取得し、かつＥ−ＣＣＥに含まれる複数のＲＥにおいてＥ−ＰＤＣＣＨを受信する。Ｅ−ＣＣＥにより伝送されるＥ−ＰＤＣＣＨにおける利用可能な変化する複数のリソースに関して、変化するＥ−ＣＣＥを送信及び受信のために対応して利用可能とするために、Ｅ−ＣＣＥは固定的に設定され、かつ動的又は準静的に設定され、これにより伝送効率が向上され、かつ送信の複雑性が低減される。
【０１２３】
上記の複数の方法の実施例の全て又は一部のステップを、関連するハードウェアに指示するプログラムにより実行してもよい、ということを、当業者は理解することができる。上記複数のプログラムは、コンピュータ読み取り可能な記憶媒体に記憶されてもよい。プログラムが実行される場合、複数の方法の実施例に含まれる上記複数のステップが実行される。上記記憶媒体は、ＲＯＭ、ＲＡＭ、磁気ディスク又は光ディスクなどの、複数のプログラムコードを記憶することが可能な各種媒体を含む。
【０１２４】
前述の説明は、単に本発明の特定の複数の実施例であり、本発明の保護範囲を限定することを意図するものではない。本発明において開示される技術範囲内において、当業者により容易に考え出されるいかなる変形及び置換も、本発明の保護範囲に属するとしなければならない。従って、本発明の保護範囲は、特許請求の範囲の保護範囲に従わなければならない。
【０１２５】
［関連出願の相互参照］
本出願は、２０１２年１月９日に中国特許庁に出願された「ＭＥＴＨＯＤＳ  ＦＯＲ  ＴＲＡＮＳＭＩＴＴＩＮＧ  ＡＮＤ  ＲＥＣＥＩＶＩＮＧ  ＣＯＮＴＲＯＬ  ＣＨＡＮＮＥＬ，  ＢＡＳＥ  ＳＴＡＴＩＯＮ，  ＡＮＤ  ＵＳＥＲ  ＥＱＵＩＰＭＥＮＴ」と題する中国特許出願第２０１２０００４６５０．４の優先権を主張し、参照することにより、その全内容をここに援用する。
【図１】
0006055844.tif 000013
【図２】
0006055844.tif 000014
【図３】
0006055844.tif 000015
【図４】
0006055844.tif 000016
【図５】
0006055844.tif 000017
【図６】
0006055844.tif 000018
【図７】
0006055844.tif 000019
【図８】
0006055844.tif 000020
【図９】
0006055844.tif 000021
【図１０】
0006055844.tif 000022